(57)【要約】【課題】  保護用の電気素子を別個に回路基板上に実装する必要がない回路基板相互接続用コネクタ装置を得る。【解決手段】  複数の第１の接続用電極を並設した第１の回路基板の複数の第１の接続用電極と、複数の第２の接続用電極を並設した第２の回路基板の複数の第２の接続用電極とを電気的接続するために、電気部品付き直方体状接続子９とこれを収容するコネクタハウジングとを用いる。電気部品付き直方体状接続子９は、直方体状の絶縁基体１３の外周の連続する三面うちの対向する二面の一方の面上に、絶縁間隔を隔てて複数の第１の導電路部分１７ａ・・・を、対向する二面の他方の面上に、絶縁間隔を隔てて複数の第２の導電路部分１７ｂ・・・を、連続する三面のうちの対向する二面の間に位置する一面上に絶縁間隔を隔てて複数の電気素子１９・・・を設け、これら電気素子１９・・・を対応する第１の導電路部分１７ａ・・・と第２の導電路部分１７ｂ・・・に接続する。【選択図】    図３
2008091164.tif 000002
【特許請求の範囲】
【請求項１】
表面に所定の第１の電極間ピッチを持って形成された複数の第１の接続用電極が並設されている第１の回路基板の前記複数の第１の接続用電極と、表面に所定の第２の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面うちの対向する二面の一方の面上に、前記二つの端面が並ぶ方向に所定の絶縁間隔を隔てて並設された複数の第１の導電路部分と、前記連続する三面のうちの対向する前記二面の他方の面上に、前記二つの端面が並ぶ方向に所定の絶縁間隔を隔てて並設された設けられた前記複数の第２の導電路部分と、前記連続する三面のうちの対向する前記二面の間に位置する一面上に前記二つの端面が並ぶ方向に所定の絶縁間隔を隔てて並設された複数の電気素子とを備え、前記複数の電気素子がそれぞれ対応する前記複数の第１の導電路部分及び前記複数の第２の導電路部分と電気的に直列接続されており、前記複数の第１の導電路部分の導電路間ピッチが前記第１の電極間ピッチと実質的に等しく、前記複数の第２の導電路部分の導電路間ピッチが前記第２の電極間ピッチと実質的に等しくなるように構成されている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記複数の第１の導電路部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記複数の第２の導電路部分と前記複数の第２の接続用電極とが対向する位置で前記基板部分を保持し、
さらに前記複数の第２の導電路部分に前記複数の第２の接続用電極を接触させる構造を有していることを特徴とする回路基板相互接続用コネクタ装置。
【請求項２】
前記電気素子が形成される前記一面上には、前記複数の第１の導電路部分とそれぞれ接続された複数の第１の電極部分と、前記複数の第２の導電路部分とそれぞれ接続された複数の第２の電極部分とが形成され、前記電気素子は前記第１の電極部分と前記第２の電極部分とに跨って形成されている請求項１に記載の回路基板相互接続用コネクタ装置。
【請求項３】
表面に所定の第１の電極間ピッチを持って形成された複数の第１の接続用電極が並設されている第１の回路基板の前記複数の第１の接続用電極と、表面に所定の第２の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面のうちの対向する二面の一方の面上に、前記二つの端面が並ぶ方向に所定の絶縁間隔を隔てて並設された複数の第１の導電路部分と、前記連続する四面のうちの対向する前記二面の他方の面上に、前記二つの端面が並ぶ方向に所定の絶縁間隔を隔てて並設された設けられた前記複数の第２の導電路部分と、前記連続する四面のうちの対向する前記二面の間に位置する二面の一方の面上に前記二つの端面が並ぶ方向に所定の絶縁間隔を隔てて並設された第１のグループの複数の電気素子と、前記連続する四面のうちの対向する前記二面の間に位置する二面の他方の面上に前記二つの端面が並ぶ方向に所定の絶縁間隔を隔てて並設された第２のグループの複数の電気素子とを備え、前記第１及び第２のグループの複数の電気素子がそれぞれ対応する前記複数の第１の導電路部分及び前記複数の第２の導電路部分とに電気的に直列接続されており、前記複数の第１の導電路部分の導電路間ピッチが前記第１の電極間ピッチと実質的に等しく、前記複数の第２の導電路部分の導電路間ピッチが前記第２の電極間ピッチと実質的に等しくなるように構成されている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記複数の第１の導電路部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記複数の第２の導電路部分と前記複数の第２の接続用電極とが対向する位置で前記基板部分を保持し、
さらに前記複数の第２の導電路部分に前記複数の第２の接続用電極を接触させる構造を有していることを特徴とする回路基板相互接続用コネクタ装置。
【請求項４】
前記第１のグループの複数の電気素子が形成される前記一方の面上には、前記複数の第１の導電路部分とそれぞれ接続された複数の第１の電極部分と、前記複数の第２の導電路部分とそれぞれ接続された複数の第２の電極部分とが形成され、前記第１のグループの電気素子は前記第１の電極部分と前記第２の電極部分とに跨って形成されており、
前記第２のグループの複数の電気素子が形成される前記他方の面上には、前記複数の第１の導電路部分とそれぞれ接続された複数の第３の電極部分と、前記複数の第２の導電路部分とそれぞれ接続された複数の第４の電極部分とが形成され、前記第２のグループの電気素子は前記第３の電極部分と前記第４の電極部分とに跨って形成されている請求項３に記載の回路基板相互接続用コネクタ装置。
【請求項５】
前記第１のグループの複数の電気素子と前記第２のグループの複数の電気素子とは、電気的特性または種類が異なることを特徴とする請求項３または４に記載の回路基板相互接続用コネクタ装置。
【請求項６】
前記複数の第１の導電路部分の導電路間ピッチと前記複数の第２の導電路部分の導電路間ピッチとが等しく、前記複数の第１の導電路部分と前記複数の第２の導電路部分とが前記二つの端面が並ぶ方向に互い違いに形成されていることを特徴とする請求項１または３に記載の回路基板相互接続用コネクタ装置。
【請求項７】
前記複数の第１の導電路部分の導電路間ピッチと前記複数の第２の導電路部分の導電路間ピッチとが異なることを特徴とする請求項１または３に記載の回路基板相互接続用コネクタ装置。
【請求項８】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路と、前記連続する三面のうちの対向する前記二面の間に位置する一面上にあって前記第１の導電路間ピッチをあけて配置された二つの前記第１の導電路の部分と前記二つの第１の導電路の部分の間に位置する前記第２の導電路の部分とに跨って形成された電気絶縁性を有する電気素子とを備えている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記連続する三面のうち対向する二面の一方の面上に形成された前記複数の第１の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記連続する三面のうち対向する二面の他方の面上に形成された前記複数の第１の導電路の部分と前記第２の回路基板に設けられた前記複数の第２の接続用電極とが対向し、前記他方の面上に形成された前記複数の第２の導電路の部分と前記第２の回路基板に設けられて前記第３の接続用電極と対向する位置で前記基板部分を保持し、
前記複数の第１の導電路の部分と前記複数の第２の接続用電極を接触させ且つ前記複数の第２の導電路の部分と前記複数の第３の接続用電極とを接触させる構造を有していることを特徴とする回路基板相互接続用コネクタ装置。
【請求項９】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路と、前記連続する三面のうちの対向する前記二面の間に位置する一面上にあって前記第１の導電路間ピッチをあけて配置された二つの前記第１の導電路の部分と前記二つの第１の導電路の部分の間に位置する前記第２の導電路の部分とに跨って形成された電気絶縁性を有する電気素子とを備えている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記連続する三面のうち対向する二面の一方の面上に形成された前記複数の第１の導電路の部分が、前記第２の回路基板に設けられた前記複数の第２の接続用電極に電気的に接続され、前記複数の第２の導電路の部分が前記第２の回路基板の前記複数の第３の接続用電極に電気的に接続されることを許容し、
前記第１の回路基板の前記複数の第１の接続用電極が設けられた基板部分を受け入れて、前記電気部品付き直方体状接続子の前記連続する三面のうち対向する二面の他方の面上に形成された前記複数の第１の導電路の部分と前記第１の回路基板に設けられた前記複数の第１の接続用電極とが対向する位置で前記基板部分を保持し、
前記複数の第１の導電路の部分と前記複数の第１の接続用電極を接触させる構造を有していることを特徴とする回路基板相互接続用コネクタ装置。
【請求項１０】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路とを備えている電気部品付き直方体状接続子と、
前記直方体状接続子を収容した状態で前記第１の回路基板に取り付けられるコネクタハウジングとを具備し、
前記コネクタハウジングは、
前記直方体状接続子の前記連続する三面のうち対向する二面の一方の面上に形成された前記複数の第１の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記直方体状接続子の前記連続する三面のうち対向する二面の他方の面上に形成された前記複数の第１の導電路の部分と前記第２の回路基板に設けられた前記複数の第２の接続用電極とが対向し、前記他方の面上に形成された前記複数の第２の導電路の部分と前記第２の回路基板に設けられて前記第３の接続用電極と対向する位置で前記基板部分を保持し、
前記複数の第１の導電路の部分と前記複数の第２の接続用電極を接触させ且つ前記複数の第２の導電路の部分と前記複数の第３の接続用電極とを接触させる構造を有していることを特徴とする回路基板相互接続用コネクタ装置。
【請求項１１】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路とを備えている電気部品付き直方体状接続子と、
前記直方体状接続子を収容した状態で前記第１の回路基板に取り付けられるコネクタハウジングとを具備し、
前記コネクタハウジングは、
前記直方体状接続子の前記連続する三面のうち対向する二面の一方の面上に形成された前記複数の第１の導電路の部分が、前記第２の回路基板に設けられた前記複数の第２の接続用電極に電気的に接続され、前記複数の第２の導電路の部分が前記第２の回路基板の前記複数の第３の接続用電極に電気的に接続されることを許容し、
前記第１の回路基板の前記複数の第１の接続用電極が設けられた基板部分を受け入れて、前記直方体状接続子の前記連続する三面のうち対向する二面の他方の面上に形成された前記複数の第１の導電路の部分と前記第１の回路基板に設けられた前記複数の第１の接続用電極とが対向する位置で前記基板部分を保持し、
前記複数の第１の導電路の部分と前記複数の第１の接続用電極を接触させる構造を有していることを特徴とする回路基板相互接続用コネクタ装置。
【請求項１２】
前記コネクタハウジングは、前記接続子の前記一方の面を露出させた状態で前記接続子を収容する第１の収容室と、前記第１の収容室と連通するように形成されて前記基板部分を収容する第２の収容室と、外部から前記第２の収容室に前記基板部分を導入する基板部分導入口とを有するハウジング本体と、
前記第２の収納室内に収納されて、前記基板部分を前記接続子に向かって押し付ける押圧手段とを備えている請求項１乃至１１のいずれか１項に記載の回路基板相互接続用コネクタ装置。
【請求項１３】
前記押圧手段は、バネ力または弾性力により前記基板部分を前記接続子に向かって押し付けるように構成されている請求項１２に記載の回路基板相互接続用コネクタ装置。
【発明の詳細な説明】
【技術分野】
【０００１】
本発明は、表面に所定の電極間ピッチを持って並設された複数の第１の接続用電極を有する第１の回路基板の複数の第１の接続用電極と、表面に所定の電極間ピッチを持って並設された複数の第２の接続用電極が並設された第２の回路基板の複数の第２の接続用電極とを電気的に接続するために用いられる回路基板相互接続用コネクタ装置に関するものである。
【背景技術】
【０００２】
特許文献１には、従来の回路基板相互接続用コネクタ装置が示されている。また特許文献２には、コネクタ装置に接続される回路基板側の配線部分に、保護用の抵抗体や、コンデンサや、ＥＳＤ（静電気放電）保護部品等の電気素子を接続する構成が示されている。これら保護用の電気素子は、従来では回路基板上に設けられていた（例えば、特許文献２参照。）。
【特許文献１】特開２００４−２６５５９９号公報  図６
【特許文献１】特開２００６−４０７４４号公報  図６
【発明の開示】
【発明が解決しようとする課題】
【０００３】
しかしながら、コネクタ装置により接続される二つの回路基板上に保護用の電気素子を設けると、回路基板上に電気素子実装用のスペースを確保する必要がある上、部品の実装個数が増える問題がある。また保護用の電気素子を変更する必要が生じた際に、回路基板を全体的に交換しなければならない問題点がある。更に、ＥＳＤ保護部品は、信号ライン毎に配置する必要があるため、回路基板上に実装スペースを確保しなければならない問題点があった。
【０００４】
本発明の目的は、保護用の電気素子を別個に回路基板上に実装する必要がない回路基板相互接続用コネクタ装置を提供することにある。
【課題を解決するための手段】
【０００５】
本発明の回路基板相互接続用コネクタ装置は、第１の回路基板の複数の第１の接続用電極と第２の回路基板の複数の第２の接続用電極とを電気的に接続するために用いられるものである。第１の回路基板にはその表面に所定の第１の電極間ピッチを持って形成された複数の第１の接続用電極が並設されている。また第２の回路基板にはその表面に所定の第２の電極間ピッチを持って形成された複数の第２の接続用電極が並設されている。
【０００６】
特に本発明の回路基板相互接続用コネクタ装置では、電気部品付き直方体状接続子とコネクタハウジングとを具備する。第１のタイプの電気部品付き直方体状接続子は、第１の接続用電極と第２の接続用電極との間に１種類の電気部品を直列接続できるように構成されている。この電気部品付き直方体状接続子は、連続する四面と対向する二つの端面を有する直方体状の絶縁基体を有する。絶縁基体の連続する四面中の少なくとも連続する三面うちの対向する二面の一方の面上には、二つの端面が並ぶ方向に所定の絶縁間隔を隔てて並設された複数の第１の導電路部分を有する。また連続する三面のうちの対向する二面の他方の面上には、二つの端面が並ぶ方向に所定の絶縁間隔を隔てて並設された設けられた複数の第２の導電路部分を有している。そして連続する三面のうちの対向する二面の間に位置する一面上には、二つの端面が並ぶ方向に所定の絶縁間隔を隔てて並設された複数の電気素子を備えている。複数の電気素子は、それぞれ対応する複数の第１の導電路部分及び複数の第２の導電路部分と電気的に直列接続されている。複数の第１の導電路部分の導電路間ピッチは第１の電極間ピッチと実質的に等しく、複数の第２の導電路部分の導電路間ピッチは第２の電極間ピッチと実質的に等しくなるように構成されている。
【０００７】
そしてコネクタハウジングは、電気部品付き直方体状接続子の複数の第１の導電路部分が、第１の回路基板に設けられた複数の第１の接続用電極に電気的に接続されることを許容するようになっている。またコネクタハウジングは、第２の回路基板の複数の第２の接続用電極が設けられた基板部分を受け入れて、電気部品付き直方体状接続子の複数の第２の導電路部分と複数の第２の接続用電極とが対向する位置で基板部分を保持するようになっている。さらにコネクタハウジングは、複数の第２の導電路部分に複数の第２の接続用電極を接触させる構造を有している。
【０００８】
本発明の回路基板相互接続用コネクタ装置では、一方の回路基板をコネクタハウジングに挿入する作業を行うことにより、二つの回路基板を相互に電気的に接続することができる。また本発明によれば、コネクタハウジング内に、複数の接点部品を配置することなく、１つの電気部品付き直方体状接続子を配置するだけでコネクタ装置を構成できるので、少ない部品点数でコネクタ装置を構成することができる。特に本発明によれば、二つの回路基板を接続するために用いられる直方体状接続子上に電気素子が形成されているため、一方の回路基板上に回路基板相互接続用コネクタ装置を実装するだけで、相互接続される二つの回路基板の接続用電極間に保護用の電気素子を接続することができる。したがって本発明の回路基板相互接続用コネクタ装置を用いれば、回路基板上に別個に保護用の電気素子を実装する必要がない。
【０００９】
なお電気素子が形成される絶縁基体の一面上には、複数の第１の導電路部分とそれぞれ接続された複数の第１の電極部分と、複数の第２の導電路部分とそれぞれ接続された複数の第２の電極部分とが形成されているのが好ましい。この場合、電気素子は第１の電極部分と第２の電極部分とに跨って形成される。このようにすると電気素子と第１の導電路部分及び第２の導電路部分との電気的な接続を確実なものとすることができる。
【００１０】
本発明で用いる第２のタイプの電気部品付き直方体状接続子は、第１の接続用電極と第２の接続用電極との間に並列接続された２つの電気部品を直列接続するように構成されている。絶縁基体の連続する四面のうちの対向する二面の一方の面上に、二つの端面が並ぶ方向に所定の絶縁間隔を隔てて並設された複数の第１の導電路部分と、連続する四面のうちの対向する前記二面の他方の面上に、二つの端面が並ぶ方向に所定の絶縁間隔を隔てて並設された設けられた複数の第２の導電路部分とを有する。また絶縁基体の連続する四面のうちの対向する二面の間に位置する二面の一方の面上には、二つの端面が並ぶ方向に所定の絶縁間隔を隔てて並設された第１のグループの複数の電気素子を有している。また絶縁基体の連続する四面のうちの対向する二面の間に位置する二面の他方の面上には、二つの端面が並ぶ方向に所定の絶縁間隔を隔てて並設された第２のグループの複数の電気素子を備えている。そして第１及び第２のグループの複数の電気素子がそれぞれ対応する複数の第１の導電路部分及び複数の第２の導電路部分とに電気的に直列接続された構成になっている。このような第２のタイプの電気部品付き直方体状接続子を用いた回路基板相互接続用コネクタ装置によれば、第１の回路基板の第１の接続用電極と第２の回路基板の第２の接続用電極との間に、第１のグループに属する電気素子と第２のグループに属する電気素子とが並列接続された並列回路を、コネクタ装置以外の別部品を回路基板に実装することなく、配置することができる。第１のグループの複数の電気素子と第２のグループの複数の電気素子とは、電気的特性または種類が同じものでもよい。しかし電気的特性または種類が異なっているものを用いると、例えばＲＣ並列回路や、ＬＣ並列回路等をコネクタ装置内に簡単に配置することができる。
【００１１】
なお第２のタイプの電気部品付き直方体状接続子では、絶縁基体の第１のグループの複数の電気素子が形成される一面上に、複数の第１の導電路部分とそれぞれ接続された複数の第１の電極部分と、複数の第２の導電路部分とそれぞれ接続された複数の第２の電極部分とが形成され、第１のグループの電気素子は第１の電極部分と第２の電極部分とに跨って形成されるのが好ましい。また第２のグループの複数の電気素子が形成される一面上に、複数の第１の導電路部分とそれぞれ接続された複数の第３の電極部分と、複数の第２の導電路部分とそれぞれ接続された複数の第４の電極部分とが形成され、第２のグループの電気素子は第３の電極部分と第４の電極部分とに跨って形成されるのが好ましい。
【００１２】
第１及び第２のタイプの電気部品付き直方体状接続子のいずれをコネクタ装置のコネクタハウジング内に配置する場合でも、複数の第１の導電路部分の導電路間ピッチと複数の第２の導電路部分の導電路間ピッチとを等しくして、しかも複数の第１の導電路部分と複数の第２の導電路部分とを絶縁基体の二つの端面が並ぶ方向に互い違いに形成することができる。このようにすると第１の導電路部分と第２の導電路部分の間の距離を任意に設定することにより、第１の導電路部分と第２の導電路部分との間に形成される電気素子の大きさを任意に設定することができる。
【００１３】
また複数の第１の導電路部分の導電路間ピッチと複数の第２の導電路部分の導電路間ピッチとが異なると、第１の回路基板における複数の第１の接続用電極の電極間ピッチを複数の第１の導電路部分の導電路間ピッチに合わせ、第２の回路基板における複数の第２の接続用電極の電極間ピッチを複数の第２の導電路部分の導電路間ピッチに合わせることにより、電極間ピッチの異なる第１の回路基板と第２の回路基板とを電気素子を介して電気的に接続することができる。
【００１４】
また本発明の回路基板相互接続用コネクタ装置は、次のように構成することによりＥＳＤ（静電気放電）保護部品を内蔵した構造とすることができる。ＥＳＤ（静電気放電）保護部品を内蔵した回路基板相互接続用コネクタ装置で接続される第１の回路基板では、表面に交互に第１及び第２の電極間ピッチを持って形成された複数の第１の接続用電極が並設されている。また第２の回路基板では、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている。回路基板相互接続用コネクタ装置は、第１の回路基板の前記複数の第１の接続用電極と、第２の回路基板の前記複数の第２の接続用電極とを電気的に接続する。
【００１５】
この回路基板相互接続用コネクタ装置では、第３または第４のタイプの電気部品付き直方体状接続子とコネクタハウジングとを用いる。第３のタイプの電気部品付き直方体状接続子は、連続する四面と対向する二つの端面を有する直方体状の絶縁基体を有する。そして絶縁基体には、絶縁基体の連続する四面中の少なくとも連続する三面の面上に、二つの端面が並ぶ方向に第１の電極間ピッチ及び第２の電極間ピッチと等しい第１の導電路間ピッチ及び第２の導電路間ピッチが交互に現れるように所定の絶縁間隔を隔てて並設された複数の第１の導電路が設けられている。また絶縁基体には、連続する三面のうち連続する二面の面上に二つの端面が並ぶ方向に所定の絶縁間隔を隔てて並設され且つそれぞれ第１の導電路間ピッチで配置された二つの第１の導電路の間に絶縁間隔を隔てて第３の電極間ピッチと等しい第３の導電路間ピッチをあけて配置された複数の第２の導電路とを備えている。更に絶縁基体には、連続する三面のうちの対向する二面の間に位置する一面上にあって第１の導電路間ピッチをあけて配置された二つの第１の導電路の部分と二つの第１の導電路の部分の間に位置する第２の導電路の部分とに跨って形成された電気絶縁性を有する電気素子とが設けられている。
【００１６】
この場合、第２の導電路の部分がアースに接続されることになり、第１の導電路の部分と第２の導電路の部分との間で静電気放電を発生させる。第１の導電路の部分と第２の導電路の部分との間に配置する電気絶縁材料の特性は、必要とする放電特性に応じて任意に定められる。なお第４のタイプの電気部品付き直方体状接続子では、電気絶縁性を有する電気素子を形成せずに、第１の導電路の部分と第２の導電路の部分とが放電用ギャップを介して対向している。このようにしても第１の導電路の部分と第２の導電路の部分との間で静電気放電を発生させることができる。
【００１７】
いずれのタイプの電気部品付き直方体状接続子でも、複数の第１の導電路の導電路間ピッチが第１及び第２の電極間ピッチと実質的に等しく、複数の第２の導電路の導電路間ピッチが第３の電極間ピッチと実質的に等しくなるように構成されている。
【００１８】
そして第１の回路基板にコネクタハウジングが装着される場合には、コネクタハウジングは、電気部品付き直方体状接続子を収容した状態で第１の回路基板に取り付けらる。またコネクタハウジングは、電気部品付き直方体状接続子の連続する三面のうち対向する二面の一方の面上に形成された複数の第１の導電路の部分が、第１の回路基板に設けられた複数の第１の接続用電極に電気的に接続されることを許容するように構成される。さらにコネクタハウジングは、第２の回路基板の複数の第２の接続用電極が設けられた基板部分を受け入れて、電気部品付き直方体状接続子の連続する三面のうち対向する二面の他方の面上に形成された複数の第１の導電路の部分と第２の回路基板に設けられた複数の第２の接続用電極とが対向し、他方の面上に形成された複数の第２の導電路の部分と第２の回路基板に設けられて第３の接続用電極と対向する位置で基板部分を保持するように構成される。そしてコネクタハウジングは、複数の第１の導電路の部分と複数の第２の接続用電極を接触させ且つ複数の第２の導電路の部分と複数の第３の接続用電極とを接触させる構造を有している。この場合、第３の接続用電極がアース電極となる。
【００１９】
そして第２の回路基板にコネクタハウジングが装着される場合には、コネクタハウジングは、直方体状接続子の連続する三面のうち対向する二面の一方の面上に形成された複数の第１の導電路の部分が、第２の回路基板に設けられた複数の第２の接続用電極に電気的に接続され、複数の第２の導電路の部分が第２の回路基板の複数の第３の接続用電極に電気的に接続されることを許容するように構成されている。またコネクタハウジングは、第１の回路基板の複数の第１の接続用電極が設けられた基板部分を受け入れて、直方体状接続子の連続する三面のうち対向する二面の他方の面上に形成された複数の第１の導電路の部分と第１の回路基板に設けられた複数の第１の接続用電極とが対向する位置で基板部分を保持するように構成されている。そしてコネクタハウジングは、複数の第１の導電路の部分と複数の第１の接続用電極を接触させる構造を有している。この場合においても、第３の接続用電極がアース電極となる。
【００２０】
コネクタハウジングは、接続子の一方の面を露出させた状態で接続子を収容する第１の収容室と、この第１の収容室と連通するように形成されて基板部分を収容する第２の収容室と、外部から第２の収容室に基板部分を導入する基板部分導入口とを有するハウジング本体と、第２の収納室内に収納されて、基板部分を接続子に向かって押し付ける押圧手段とを備えた構成とすることができる。このような構成にすると、コネクタハウジングによって接続子の一方の回路基板に対する位置決めと、この接続子に対する他方の回路基板に対する位置決めと、基板部分を接続子に押し付ける押圧手段の位置決めとを容易に行うことができる。また押圧手段は、バネ力または弾性力により基板部分を接続子に向かって押し付けるように構成することができる。このような押圧手段を用いると、基板部分を接続子に向かって押し付ける力を容易に得ることができる。
【発明の効果】
【００２１】
本発明に係る回路基板相互接続用コネクタ装置によれば、一方の回路基板をコネクタハウジングに挿入する作業を行うことにより、二つの回路基板を相互に電気的に接続することができる。また本発明によれば、コネクタハウジング内に、複数の接点部品を配置することなく、１つの電気部品付き直方体状接続子を配置するだけでコネクタ装置を構成できるので、少ない部品点数でコネクタ装置を構成することができる利点がる。また特に本発明によれば、二つの回路基板を接続するために用いられる直方体状接続子上に電気素子が形成されているため、一方の回路基板上に回路基板相互接続用コネクタ装置を実装するだけで、相互接続される二つの回路基板の接続用電極間に保護用の電気素子を接続することができる。したがって本発明の回路基板相互接続用コネクタ装置を用いれば、回路基板上に別個に保護用の電気素子を実装する必要がないという利点が得られる。
【発明を実施するための最良の形態】
【００２２】
以下、本発明を実施するための最良の形態を、図面に示した各実施例により詳細に説明する。
【００２３】
図１乃至図５は、本発明に係る回路基板相互接続用コネクタ装置の第１実施例を示したものである。ここで、図１は本例の回路基板相互接続用コネクタ装置で接続の対象とする第１の回路基板と第２の回路基板の部分正面図、図２は本例の回路基板相互接続用コネクタ装置の斜視図、図３（Ａ）乃至（Ｅ）は本例で用いる電気部品付き直方体状接続子の斜視図及び複数の導電路を加工する前の直方体状接続子の斜視図、図４（Ａ）及び（Ｂ）は本例で用いるコネクタハウジング内に直方体状接続子を収容した状態の斜視図及びコネクタハウジングの開口部に嵌められる接触させる構造の斜視図、図５は内部に電気部品付き直方体状接続子を収容したコネクタハウジングの縦断面図である。
【００２４】
本例の回路基板相互接続用コネクタ装置は、図１に示すように、第１の回路基板１の複数の第１の接続用電極３・・・と、第２の回路基板５の複数の第２の接続用電極７・・・とを電気的に接続するために用いられるものである。第１の回路基板１は、その表面に所定の第１の電極間ピッチｐａを持って並設された複数の第１の接続用電極３・・・を有する。また、第２の回路基板５は、その表面に所定の第２の電極間ピッチｐｂを持って並設された複数の第２の接続用電極７・・・を有する。第１及び第２の電極間ピッチｐａ及びｐｂは任意である。例えば、第１及び第２の電極間ピッチｐａ及びｐｂを０．２ｍｍ以下とすることも可能である。本例の第１の回路基板１上に並設された第１の接続用電極３・・・の第１の電極間ピッチｐａと、第２の回路基板５上に並設された第２の接続用電極７・・・の第２の電極間ピッチｐｂは等しくなっている。第２の回路基板５は、本例では幅が狭いフレキシブルの回路基板となっている。
【００２５】
本例の回路基板相互接続用コネクタ装置は、図３（Ｄ）に示す電気部品付き直方体状接続子９と、図２及び図４（Ａ）に示すコネクタハウジング１１とを用いる。
【００２６】
電気部品付き直方体状接続子９は、図３（Ａ）〜（Ｄ）に示すように、直方体状をしたセラミック製の絶縁基体１３を有る。絶縁基体１３は、連続する四面１３ａ〜１３ｄと対向する二つの端面１３ｅ及び１３ｆを有する。この絶縁基体１３の連続する四面１３ａ〜１３ｄ中の少なくとも連続する三面１３ａ〜１３ｃうちの対向する二面１３ａ及び１３ｃの一方の端面１３ａ上に、二つの端面１３ｅ及び１３ｆが並ぶ方向に所定の絶縁間隔（センター間の間隔）１５・・・を隔てて並設された複数の第１の導電路部分１７ａ・・・と、連続する三面１３ａ〜１３ｃのうちの対向する二面１３ａ及び１３ｃの他方の端面１３ｃ上に、二つの端面１３ｅ及び１３ｆが並ぶ方向に所定の絶縁間隔１５・・・を隔てて並設された設けられた複数の第２の導電路部分１７ｂ・・・と、連続する三面１３ａ〜１３ｃのうちの対向する二面１３ａ及び１３ｃの間に位置する一面１３ｂ上に二つの端面１３ｅ及び１３ｆが並ぶ方向に所定の絶縁間隔１５・・・を隔てて並設された複数の電気素子１９・・・とを備えている。電気素子１９・・・としては、抵抗体やコンデンサ等が用いられる。複数の電気素子１９・・・は、それぞれ対応する複数の第１の導電路部分１７ａ・・・及び複数の第２の導電路部分１７ｂ・・・と電気的に直列接続されている。本例では、電気素子１９・・・が形成される一面１３ｂ上には、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成され、電気素子１９・・・は第１の電極部分２１ａ・・・と第２の電極部分２１ｂ・・・とに跨って形成されている。なお各図においては、図示を簡略するために、電気素子１９・・・と第１の電極部分２１ａ・・・及び第２の電極部分２１ｂ・・・との重合状態の図示は省略してある。本例では、複数の第１の導電路部分１７ａ・・・の導電路間ピッチｐａが第１の電極間ピッチｐａと実質的に等しく、複数の第２の導電路部分の導電路間ピッチｐｂが第２の電極間ピッチｐｂと実質的に等しくなるように構成されている。
【００２７】
このような電気部品付き直方体状接続子９は、例えば次のようにして製造することができる。図３（Ａ）に示すように、絶縁基体１３の連続する四面１３ａ〜１３ｄの全面に、印刷、メッキ、スパッタリング等の手段で、例えば金、銀、銅、銅・ニッケル合金、金・銀合金等の高導電率材料からなる導電部１７ｍを面状に形成する。絶縁基体１３上の導電部１７ｍを、図３（Ｂ）に示すように、二つの端面１３ｅ及び１３ｆが並ぶ方向に所定の絶縁間隔１５・・・が形成されるように、周方向にレーザー等で取り除くことにより複数の導電路１７・・・を形成する。例えば、レーザー等で絶縁間隔１５・・・の幅を２０μｍ、導電路１７・・・の幅を８０μｍにして、これを０．１ｍｍのピッチで繰り返すことで、図３（Ｂ）に示す形状にする。次に、図３（Ｃ）及び（Ｄ）に示すように、絶縁基体１３の一面１３ｄの導電路１７・・・の部分をレーザー等で取り除き、絶縁基体１３上の連続する三面１３ａ〜１３ｃに複数の導電路１７・・・が残るようにする。続いて、絶縁基体１３の連続する三面１３ａ〜１３ｃ中で、中央に位置する一面１３ｂ上に設けられた導電路１７・・・の中央部分をレーザー等で取り除く。これにより、絶縁基体１３の一面１３ａ上に、複数の第１の導電路部分１７ａ・・・が二つの端面１３ｅ及び１３ｆが並ぶ方向に所定の絶縁間隔１５・・・を隔てて並設される。また、絶縁基体１３の一面１３ａに対向する一面１３ｃ上に、複数の第２の導電路部分１７ｂ・・・が二つの端面１３ｅ及び１３ｆが並ぶ方向に所定の絶縁間隔１５・・・を隔てて並設される。かつまた、絶縁基体１３の連続する三面１３ａ〜１３ｃ中で、中央に位置する一面１３ｂ上に、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成される。次に、図３（Ｄ）に示すように、この絶縁基体１３の連続する三面１３ａ〜１３ｃ中で、中央に位置する一面１３ｂ上に形成した、複数の第１の電極部分２１ａ・・・と複数の第２の電極部分２１ｂ・・・との間に、これらに複数の第１の電極部分２１ａ・・・と複数の第２の電極部分２１ｂ・・・とに接続して複数の電気素子１９・・・を生成する。これにより電気部品付き直方体状接続子９が完成する。なお、導電路１７・・・の幅を８０μｍより小さくすることで、０．１ｍｍのピッチ以下のピッチも可能になる。
【００２８】
コネクタハウジング１１は、液晶ポリマー製であって、図５に示すように、電気部品付き直方体状接続子９の一方の端面１３ａを露出させた状態でこの電気部品付き直方体状接続子９を収容する第１の収容室１１ａと、この第１の収容室１１ａと連通するように形成されて第２の回路基板５の基板部分５ａを収容する第２の収容室１１ｂと、外部から第２の収容室１１ｂに基板部分５ａを導入する基板部分導入口２３とを有する。
【００２９】
このコネクタハウジング１１は、図２及び図４（Ａ）に示すように、電気部品付き直方体状接続子９を第１の収容室１１ａに位置決めして収容した状態で第１の回路基板１に取り付けられる。コネクタハウジング１１の第１の回路基板１に対する取り付けは、コネクタハウジング１１の四隅の底面を第１の回路基板１に接着して固定するか、コネクタハウジング１１の四隅にフックを突設して、これらフックを第１の回路基板１の４つの貫通孔に通して裏面に係止させること等により行う。コネクタハウジング１１を第１の回路基板１に取り付けるに際しては、コネクタハウジング１１内に収容した電気部品付き直方体状接続子９の複数の第１の導電路部分１７ａ・・・を第１の回路基板１の複数の第１の接続用電極３・・・に合致させて加圧接触させるか、電気部品付き直方体状接続子９の複数の第１の導電路部分１７ａ・・・を導電性接着剤を介して第１の回路基板１の複数の第１の接続用電極３・・・に合致させて重ねて接着する。
【００３０】
このコネクタハウジング１１は、内蔵する電気部品付き直方体状接続子９の連続する三面１３ａ〜１３ｃのうちの対向する二面１３ａ及び１３ｃの一方の端面１３ａ上に設けられた複数の第１の導電路部分１７ａ・・・が、第１の回路基板１に設けられた複数の第１の接続用電極３・・・に電気的に接続されることを許容するようになっている。また、コネクタハウジング１１は、第２の回路基板５の複数の第２の接続用電極７・・・が設けられた基板部分５ａを、コネクタハウジング１１の基板部分導入口２３から受け入れて、電気部品付き直方体状接続子９の連続する三面１３ａ〜１３ｃのうちの対向する二面１３ａ及び１３ｃの他方の端面１３ｃ上に設けられた複数の第２の導電路部分１７ｂ・・・と第２の回路基板５の複数の第２の接続用電極７・・・とが対向する位置で基板部分５ａを保持するようになっている。基板部分導入口２３の長さは第２の回路基板５の幅と等しくなっていて、コネクタハウジング１１内で第２の回路基板５の位置決めを行うようになっている。さらに、対向する二面１３ａ及び１３ｃの他方の端面１３ｃ上に設けられた複数の第２の導電路部分１７ｂ・・・に、第２の回路基板５に設けられた複数の第２の接続用電極７・・・を接触させる構造２５を有している。この接触させる構造２５は、コネクタハウジング１１の上面の開口部２７に被せられて固定される蓋部材２９と、この蓋部材２９の裏面に接着等で固定されてコネクタハウジング１１の開口部２７内に挿入されている第２の回路基板５の基板部分５ａを弾性的に押圧するゴム板等の弾性押圧部材３１とを有する。蓋部材２９は、その裏面の長手方向の両端のフック３３を、コネクタハウジング１１の上面の長手方向の両端のフック孔３５に弾性的に嵌めて固定するようになっている。
【００３１】
このような回路基板相互接続用コネクタ装置は、電気部品付き直方体状接続子９を収容したコネクタハウジング１１を、電気部品付き直方体状接続子９の複数の第１の導電路部分１７ａ・・・を第１の回路基板１の複数の第１の接続用電極３・・・に前述したように接続して、第１の回路基板１に固定する。かかる状態で、開口部２７を開いたコネクタハウジング１１の基板部分導入口２３に第２の回路基板５の基板部分５ａを、その複数の第２の導電路部分１７ｂ・・・を下向きにして挿入する。この挿入で、電気部品付き直方体状接続子９はコネクタハウジング１１に位置決めされ、第２の回路基板５の基板部分５ａはコネクタハウジング１１に基板部分導入口２３に位置決めされているので、電気部品付き直方体状接続子９の複数の第２の導電路部分１７ｂ・・・に第２の回路基板５の複数の第２の接続用電極７・・・が合致して個々に重なる。しかる後に、コネクタハウジング１１の開口部２７に接触させる構造２５の蓋部材２９を被せて固定し、この蓋部材２９の裏面のゴム板等の弾性押圧部材３１で第２の回路基板５の基板部分５ａを加圧して電気部品付き直方体状接続子９に密着させ、第２の回路基板５の複数の第２の接続用電極７・・・の電気部品付き直方体状接続子９の複数の第２の導電路部分１７ｂ・・・に対する電気的接続を安定化させる。
【００３２】
図６（Ａ）及び（Ｂ）は本発明に係る回路基板相互接続用コネクタ装置の第２実施例で用いる電気部品付き直方体状接続子９の他の例の斜視図及びこの斜視図をその長手方向の中心軸線の回りに１８０°回転した状態の斜視図である。
【００３３】
この電気部品付き直方体状接続子９は、第１実施例の電気部品付き直方体状接続子９の変形例を示したもので、絶縁基体１３の一面１３ａ上に設けられた複数の第１の導電路部分１７ａ・・・と、この一面１３ａに対向する一面１３ｃ上に設けられた複数の第２の導電路部分１７ｂ・・・とが、二つの端面１３ｅ及び１３ｆが並ぶ方向に互い違いにずらされている。電気部品付き直方体状接続子９の一面１３ｂ上で、複数の第１の導電路部分１７ａ・・・につながる複数の第１の電極部分２１ａ・・・と、複数の第２の導電路部分１７ｂ・・・につながる複数の第２の電極部分２１ｂ・・・とが、それぞれ所定の長さで平行する状態で対向するようになっている。これら所定の長さで平行する状態で対向する複数の第１の電極部分２１ａ・・・と複数の第２の電極部分２１ｂ・・・の間に抵抗やコンデンサ等の複数の電気素子１９・・・が配置されて電気的に接続されている。
【００３４】
この電気部品付き直方体状接続子９を用いた回路基板相互接続用コネクタ装置でも、第１実施例の電気部品付き直方体状接続子９を用いた回路基板相互接続用コネクタ装置と同様な効果を得ることができる。
【００３５】
図７（Ａ）及び（Ｂ）は本発明に係る回路基板相互接続用コネクタ装置の第３の実施例で用いる電気部品付き直方体状接続子９の他の例の斜視図及びこの斜視図をその長手方向の中心軸線の回りに１８０°回転した状態の斜視図である。第３の実施例では、第２のタイプの電気部品付き直方体状接続子９を用いる。この電気部品付き直方体状接続子９では、第１の回路基板の第１の接続用電極と第２の回路基板の第２の接続用電極との間に並列接続された２つの電気部品を直列接続することができる。絶縁基体１３の連続する四面１３ａ〜１３ｄのうちの対向する二面１３ａ及び１３ｃの一方の面１３ａ上に、二つの端面１３ｅ及び１３ｆが並ぶ方向に所定の絶縁間隔を隔てて並設された複数の第１の導電路部分１７ａ・・・と、連続する四面１３ａ〜１３ｄのうちの対向する二面１３ａ及び１３ｃの他方の面１３ｃ上に、二つの端面１３ｅ及び１３ｆが並ぶ方向に所定の絶縁間隔を隔てて並設された設けられた複数の第２の導電路部分１７ｂ・・・とを有する。また絶縁基体１３の連続する四面１３ａ〜１３ｄのうちの対向する二面１３ａ及び１３ｃの間に位置する二面１３ｂ及び１３ｄの一方の面１３ｂ上には、二つの端面１３ｅ及び１３ｆが並ぶ方向に所定の絶縁間隔を隔てて並設された抵抗やコンデンサ等の第１のグループの複数の電気素子１９ａ・・・を有している。また絶縁基体１３の連続する四面１３ａ〜１３ｄのうちの対向する二面１３ａ及び１３ｃの間に位置する二面１３ｂ及び１３ｄの他方の面１３ｄ上には、二つの端面１３ｅ及び１３ｆが並ぶ方向に所定の絶縁間隔を隔てて並設された抵抗やコンデンサ等の第２のグループの複数の電気素子１９ｂ・・を備えている。そして第１及び第２のグループの複数の電気素子１９ａ・・・及び１９ｂ・・が、それぞれ対応する複数の第１の導電路部分１７ａ・・・及び複数の第２の導電路部分１７ｂ・・・とに電気的に直列接続された構成になっている。具体的には、絶縁基体１３の第１のグループの複数の電気素子１９ａ・・・が形成される一面１３ｂ上に、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成されている。そして第１のグループの電気素子１９ａ・・・は第１の電極部分２１ａ・・・と第２の電極部分２１ｂ・・・とに跨って形成されている。また第２のグループの複数の電気素子が形成される一面１３ｄ上には、複数の第１の導電路部分１７ａ・・・とそれぞれ接続された複数の第３の電極部分２１ｃ・・・と、複数の第２の導電路部分１７ｂ・・・とそれぞれ接続された複数の第４の電極部分２１ｄ・・・とが形成されている。そして第２のグループの電気素子１９ｂ・・・は、第３の電極部分２１ｃ・・・と第４の電極部分２１ｄ・・・とに跨って形成されている。本実施例で用いるような第２のタイプの電気部品付き直方体状接続子９を用いた回路基板相互接続用コネクタ装置によれば、第１の回路基板の第１の接続用電極と第２の回路基板の第２の接続用電極との間に、第１のグループに属する電気素子１９ａ・・・と第２のグループに属する電気素子１９ｂ・・・とが並列接続され���並列回路を、コネクタ装置以外の別部品を回路基板に実装することなく、配置することができる。第１のグループの複数の電気素子１９ａ・・・と第２のグループの複数の電気素子１９ｂ・・・とは、電気的特性または種類が同じものでもよい。しかし電気的特性または種類が異なっているものを用いると、例えばＲＣ並列回路や、ＬＣ並列回路等をコネクタ装置内に簡単に配置することができる。
【００３６】
図８（Ａ）及び（Ｂ）は、図７（Ａ）及び（Ｂ）に示したび第２のタイプの電気部品付き直方体状接続子９の変形例を示してた各斜視図である。図８に示した電気部品付き直体状接続子９では、複数の第１の導電路部分１７ａ・・・の導電路間ピッチと複数の第２の導電路部分１７ｂ・・・の導電路間ピッチとを等しくしているが、複数の第１の導電路部分１７ａ・・・と複数の第２の導電路部分１７ｂ・・・とを絶縁基体１３の二つの端面１３ｅ及び１３ｆが並ぶ方向に互い違いに形成されている。そのため第１の電極部分２１ａと第２の電極部分２１ｂも二つの端面１３ｅ及び１３が並ぶ方向に互い違いに配置され、第１のグループの電気素子１９ａは二つの端面１３ｅ及び１３が並ぶ方向に並ぶ第１の電極部分２１ａと第２の電極部分２１ｂとに跨って形成されている。同様にして第３の電極部分２１ｃと第４の電極部分２１ｄも二つの端面１３ｅ及び１３が並ぶ方向に互い違いに配置され、第２のグループの電気素子１９ｂは二つの端面１３ｅ及び１３が並ぶ方向に並ぶ第３の電極部分２１ｃと第４の電極部分２１ｄとに跨って形成されている。その他の点は、図７の例と同じである。
【００３７】
図９（Ａ）及び（Ｂ）は、回路基板相互接続用コネクタ装置にＥＳＤ（静電気放電）保護部品を内蔵させる場合に用いる第３のタイプの電気部品付き直方体状接続子９を背面側から見た斜視図と正面側から見た斜視図とを示している。この第３のタイプの電気部品付き直方体状接続子９を図４に示しコネクタハウジング１１内に配置した回路基板相互接続用コネクタ装置で接続される第１の回路基板１は、図１０（Ａ）に示すように、表面に交互に第１及び第２の電極間ピッチＰ１及びＰ２を持って形成された複数の第１の接続用電極３が並設されている。また第２の回路基板５では、図１０（Ｂ）に示すように、表面に交互に第１及び第２の電極間ピッチＰ１及びＰ２を持って形成された複数の第２の接続用電極７が並設され且つ第１の電極間ピッチＰ１で配置された二つの第２の接続用電極７の間に配置されるように第３の電極間ピッチＰ３を持って形成された複数の第３の接続用電極８が並設されている。
【００３８】
そしてこの回路基板相互接続用コネクタ装置で用いる第３のタイプの電気部品付き直方体状接続子９は、連続する四面１３ａ〜１３ｄと対向する二つの端面１３ｅ及び１３ｆを有する直方体状の絶縁基体１３を有する。そして絶縁基体１３には、絶縁基１３体の連続する四面１３ａ〜１３ｄ中の少なくとも連続する三面１３ａ〜１３ｃの面上に、二つの端面１３ｅ及び１３ｆが並ぶ方向に第１の電極間ピッチＰ１及び第２の電極間ピッチＰ２と等しい第１の導電路間ピッチＰ１及び第２の導電路間ピッチＰ２が交互に現れるように所定の絶縁間隔を隔てて並設された複数の第１の導電路１７ａが設けられている。また絶縁基体１３には、連続する三面１３ａ〜１３ｃのうち連続する連続する二面１３ｂ及び１３ｃを含む連続する三面１３ｂ〜１３ｄの面上に二つの端面が並ぶ方向に所定の絶縁間隔を隔てて第２の導電路１７ｂが並設されている。複数の第２の導電路１７ｂは、それぞれ第１の導電路間ピッチＰ１で配置された二つの第１の導電路１７ａの間に絶縁間隔を隔てて第３の電極間ピッチＰ３と等しい第３の導電路間ピッチをあけて配置されている。更に絶縁基体には、連続する三面１３ａ〜１３ｃのうちの対向する二面１３ａ及び１３ｃの間に位置する一面１３ｂ上にあって第１の導電路間ピッチＰ１をあけて配置された二つの第１の導電路１７ａの部分と二つの第１の導電路１７ａの部分の間に位置する第２の導電路１７ｂの部分とに跨って形成された電気絶縁性を有する電気素子１９とが設けられている。
【００３９】
ここで電気絶縁性を有する電気素子１９は、ＥＳＤ吸収素子材料から構成されている。この場合、第２の導電路１７ｂがアースに接続されることになり、第１の導電路１７ａの部分と第２の導電路１７ｂの部分との間で静電気放電を発生させる。
【００４０】
図１１（Ａ）及び（Ｂ）は、図９に示した第３のタイプの電気部品付き直方体状接続子９と同様に、回路基板相互接続用コネクタ装置にＥＳＤ（静電気放電）保護部品を内蔵させる場合に用いる第４のタイプの電気部品付き立方体状接続子９である。第４のタイプの電気部品付き立方体状接続子９は、図９（Ａ）及び（Ｂ）に示したは第３のタイプの電気部品付き直方体状接続子から電気絶縁性を有する電気素子１９を除いて、絶縁基体１３の一面１３ｂ上で第２の導電路１７ｂとその両側の第１の導電路１７ａとの間に放電用ギャップＧを設けた構造を有している。したがってこの第４のタイプの電気部品付き立方体状接続子９を用いた場合には、第１の導電路１７ａの部分と第２の導電路１７ｂの部分との間の放電用ギャップＧの箇所で直接的に静電気放電が発生する。
【００４１】
第３のタイプの電気部品付き直方体状接続子９及び第４のタイプの電気部品付き立方体状接続子９を用いる場合には、いずれのタイプの直方体状接続子でも、第１の回路基板にコネクタハウジングが装着される場合には、コネクタハウジングは、直方体状接続子を収容した状態で第１の回路基板に取り付けられる。またコネクタハウジングは、直方体状接続子の連続する三面１３ａ〜１３ｃのうち対向する二面１３ａ及び１３ｃの一方の面１３ａ上に形成された複数の第１の導電路１７ａの部分が、第１の回路基板に設けられた複数の第１の接続用電極３に電気的に接続されることを許容するように構成するればよい。さらにコネクタハウジングは、第２の回路基板５の複数の第２の接続用電極７が設けられた基板部分を受け入れて、直方体状接続子の連続する三面１３ａ〜１３ｃのうち対向する二面１３ａ及び１３ｃの他方の面１３ｃ上に形成された複数の第１の導電路１７ａの部分と第２の回路基板５に設けられた複数の第２の接続用電極７とが対向し、他方の面１３ｃ上に形成された複数の第２の導電路１７ｂの部分と第２の回路基板５に設けられて第３の接続用電極８と対向する位置で基板部分を保持するように構成すればよい。そしてコネクタハウジングは、複数の第１の導電路１７ａの部分と複数の第２の接続用電極７を接触させ且つ複数の第２の導電路１７ｂの部分と複数の第３の接続用電極８とを接触させる構造を有していればよい。この場合、第３の接続用電極がアース電極となる。
【００４２】
そして第２の回路基板５にコネクタハウジングが装着される場合には、コネクタハウジングは、直方体状接続子９の連続する三面１３ａ〜１３ｃのうち対向する二面１３ａ及び１３ｃの一方の面１３ａ上に形成された複数の第１の導電路１７ａの部分が、第２の回路基板５に設けられた複数の第２の接続用電極７に電気的に接続され、複数の第２の導電路１７ｂの部分が第２の回路基板５の複数の第３の接続用電極８に電気的に接続されることを許容するように構成される。またコネクタハウジングは、第１の回路基板１の複数の第１の接続用電極３が設けられた基板部分を受け入れて、直方体状接続子の連続する三面１３ａ〜１３ｃのうち対向する二面１３ａ及び１３ｃの他方の面１３ｃ上に形成された複数の第１の導電路１７ａの部分と第１の回路基板１に設けられた複数の第１の接続用電極３とが対向する位置で基板部分を保持するように構成する。そしてコネクタハウジングは、複数の第１の導電路１７ａの部分と複数の第１の接続用電極３を接触させる構造を有している。この場合においても、第３の接続用電極がアース電極となる。
【図面の簡単な説明】
【００４３】
【図１】本発明に係る回路基板相互接続用コネクタ装置の第１実施例で接続の対象とする第１の回路基板と第２の回路基板の部分正面図である。
【図２】第１実施例の回路基板相互接続用コネクタ装置の斜視図である。
【図３】（Ａ）乃至（Ｅ）は本例で用いる電気部品付き直方体状接続子の製造工程の斜視図及び横断面図である。
【図４】（Ａ）及び（Ｂ）は本例で用いるコネクタハウジング内に直方体状接続子を収容した状態の斜視図及びコネクタハウジングの開口部に嵌められる接触させる構造の斜視図である。
【図５】電気部品付き直方体状接続子を収容したコネクタハウジングの縦断面図である。
【図６】（Ａ）及び（Ｂ）は本発明に係る回路基板相互接続用コネクタ装置の第２実施例で用いる電気部品付き直方体状接続子の他の例の斜視図及びこの斜視図をその長手方向の中心軸線の回りに１８０°回転した状態の斜視図である。
【図７】（Ａ）及び（Ｂ）は本発明に係る回路基板相互接続用コネクタ装置の第３の実施例で用いる電気部品付き直方体状接続子の他の例の斜視図及びこの斜視図をその長手方向の中心軸線の回りに１８０°回転した状態の斜視図である。
【図８】（Ａ）及び（Ｂ）は図７（Ａ）及び（Ｂ）に示したび第２のタイプの電気部品付き直方体状接続子の変形例を示した各斜視図である。
【図９】（Ａ）及び（Ｂ）は、回路基板相互接続用コネクタ装置にＥＳＤ（静電気放電）保護部品を内蔵させる場合に用いる第３のタイプの電気部品付き直方体状接続子を背面側から見た斜視図と正面側から見た斜視図である。
【図１０】（Ａ）及び（Ｂ）は第３のタイプの回路基板相互接続用コネクタ装置で用いる第１の回路基板と第２の回路基板の電極パターンを示す正面図である。
【００４４】
である。
【図１１】（Ａ）及び（Ｂ）は第３のタイプの電気部品付き直方体状接続子で用いる絶縁基体上の導電パターンを示す背面側から見た斜視図と正面側から見た斜視図である。
【符号の説明】
【００４５】
１  第１の回路基板
３  第１の接続用電極
５  第２の回路基板
７  第２の接続用電極
９  電気部品付き直方体状接続子
１１  コネクタハウジング
１１ａ  第１の収容室
１１ｂ  第２の収容室
１３  絶縁基体
１３ａ〜１３ｄ  四面の各面
１３ｅ及び１３ｆ  対向する二面の各面
１５  絶縁間隔
１７  導電路
１７ａ  第１の導電路部分
１７ｂ  第２の導電路部分
１９  電気素子
２１ａ  第１の電極部分
２１ｂ  第２の電極部分
２１ｃ  第３の電極部分
２３  基板部分導入口
２５  接触させる構造
２７  開口部
２９  蓋部材
３１  弾性押圧部材
３３  フック
３５  フック孔
Ｇ  放電用ギャップ
【図１】
2008091164.tif 000003
【図２】
2008091164.tif 000004
【図３】
2008091164.tif 000005
【図４】
2008091164.tif 000006
【図５】
2008091164.tif 000007
【図６】
2008091164.tif 000008
【図７】
2008091164.tif 000009
【図８】
2008091164.tif 000010
【図９】
2008091164.tif 000011
【図１０】
2008091164.tif 000012
【図１１】
2008091164.tif 000013
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
表面に所定の第１の電極間ピッチを持って形成された複数の第１の接続用電極が並設されている第１の回路基板の前記複数の第１の接続用電極と、表面に所定の第２の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面うちの対向する二面の一方の面上に、前記二つの端面が並ぶ方向に所定の絶縁間隔を隔てて並設された複数の第１の導電路部分と、前記連続する三面のうちの対向する前記二面の他方の面上に、前記二つの端面が並ぶ方向に所定の絶縁間隔を隔てて並設された設けられた前記複数の第２の導電路部分と、前記連続する三面のうちの対向する前記二面の間に位置する一面上に前記二つの端面が並ぶ方向に所定の絶縁間隔を隔てて並設された複数の電気素子とを備え、前記複数の電気素子がそれぞれ対応する前記複数の第１の導電路部分及び前記複数の第２の導電路部分と電気的に直列接続されており、前記複数の第１の導電路部分の導電路間ピッチが前記第１の電極間ピッチと実質的に等しく、前記複数の第２の導電路部分の導電路間ピッチが前記第２の電極間ピッチと実質的に等しくなるように構成されている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記複数の第１の導電路部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記複数の第２の導電路部分と前記複数の第２の接続用電極とが対向する位置で前記基板部分を保持し、
さらに前記複数の第２の導電路部分に前記複数の第２の接続用電極を接触させる構造を有していることを特徴とする回路基板相互接続用コネクタ装置。
【請求項２】
前記電気素子が形成される前記一面上には、前記複数の第１の導電路部分とそれぞれ接続された複数の第１の電極部分と、前記複数の第２の導電路部分とそれぞれ接続された複数の第２の電極部分とが形成され、前記電気素子は前記第１の電極部分と前記第２の電極部分とに跨って形成されている請求項１に記載の回路基板相互接続用コネクタ装置。
【請求項３】
表面に所定の第１の電極間ピッチを持って形成された複数の第１の接続用電極が並設されている第１の回路基板の前記複数の第１の接続用電極と、表面に所定の第２の電極間ピッチを持って形成された複数の第２の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面のうちの対向する二面の一方の面上に、前記二つの端面が並ぶ方向に所定の絶縁間隔を隔てて並設された複数の第１の導電路部分と、前記連続する四面のうちの対向する前記二面の他方の面上に、前記二つの端面が並ぶ方向に所定の絶縁間隔を隔てて並設された設けられた前記複数の第２の導電路部分と、前記連続する四面のうちの対向する前記二面の間に位置する二面の一方の面上に前記二つの端面が並ぶ方向に所定の絶縁間隔を隔てて並設された第１のグループの複数の電気素子と、前記連続する四面のうちの対向する前記二面の間に位置する二面の他方の面上に前記二つの端面が並ぶ方向に所定の絶縁間隔を隔てて並設された第２のグループの複数の電気素子とを備え、前記第１及び第２のグループの複数の電気素子がそれぞれ対応する前記複数の第１の導電路部分及び前記複数の第２の導電路部分とに電気的に直列接続されており、前記複数の第１の導電路部分の導電路間ピッチが前記第１の電極間ピッチと実質的に等しく、前記複数の第２の導電路部分の導電路間ピッチが前記第２の電極間ピッチと実質的に等しくなるように構成されている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記複数の第１の導電路部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記複数の第２の導電路部分と前記複数の第２の接続用電極とが対向する位置で前記基板部分を保持し、
さらに前記複数の第２の導電路部分に前記複数の第２の接続用電極を接触させる構造を有していることを特徴とする回路基板相互接続用コネクタ装置。
【請求項４】
前記第１のグループの複数の電気素子が形成される前記一方の面上には、前記複数の第１の導電路部分とそれぞれ接続された複数の第１の電極部分と、前記複数の第２の導電路部分とそれぞれ接続された複数の第２の電極部分とが形成され、前記第１のグループの電気素子は前記第１の電極部分と前記第２の電極部分とに跨って形成されており、
前記第２のグループの複数の電気素子が形成される前記他方の面上には、前記複数の第１の導電路部分とそれぞれ接続された複数の第３の電極部分と、前記複数の第２の導電路部分とそれぞれ接続された複数の第４の電極部分とが形成され、前記第２のグループの電気素子は前記第３の電極部分と前記第４の電極部分とに跨って形成されている請求項３に記載の回路基板相互接続用コネクタ装置。
【請求項５】
前記第１のグループの複数の電気素子と前記第２のグループの複数の電気素子とは、電気的特性または種類が異なることを特徴とする請求項３または４に記載の回路基板相互接続用コネクタ装置。
【請求項６】
前記複数の第１の導電路部分の導電路間ピッチと前記複数の第２の導電路部分の導電路間ピッチとが等しく、前記複数の第１の導電路部分と前記複数の第２の導電路部分とが前記二つの端面が並ぶ方向に互い違いに形成されていることを特徴とする請求項１または３に記載の回路基板相互接続用コネクタ装置。
【請求項７】
前記複数の第１の導電路部分の導電路間ピッチと前記複数の第２の導電路部分の導電路間ピッチとが異なることを特徴とする請求項１または３に記載の回路基板相互接続用コネクタ装置。
【請求項８】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路と、前記連続する三面のうちの対向する前記二面の間に位置する一面上にあって前記第１の導電路間ピッチをあけて配置された二つの前記第１の導電路の部分と前記二つの第１の導電路の部分の間に位置する前記第２の導電路の部分とに跨って形成されたＥＳＤ吸収素子材料からなる電気素子とを備えている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記連続する三面のうち対向する二面の一方の面上に形成された前記複数の第１の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記電気部品付き直方体状接続子の前記連続する三面のうち対向する二面の他方の面上に形成された前記複数の第１の導電路の部分と前記第２の回路基板に設けられた前記複数の第２の接続用電極とが対向し、前記他方の面上に形成された前記複数の第２の導電路の部分と前記第２の回路基板に設けられて前記第３の接続用電極と対向する位置で前記基板部分を保持し、
前記複数の第１の導電路の部分と前記複数の第２の接続用電極を接触させ且つ前記複数の第２の導電路の部分と前記複数の第３の接続用電極とを接触させる構造を有していることを特徴とする回路基板相互接続用コネクタ装置。
【請求項９】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路と、前記連続する三面のうちの対向する前記二面の間に位置する一面上にあって前記第１の導電路間ピッチをあけて配置された二つの前記第１の導電路の部分と前記二つの第１の導電路の部分の間に位置する前記第２の導電路の部分とに跨って形成されたＥＳＤ吸収素子材料からなる電気素子とを備えている電気部品付き直方体状接続子と、
前記電気部品付き直方体状接続子を収容した状態で前記第１の回路基板に取り付けられるコネクタハウジングとを具備し、
前記コネクタハウジングは、
前記電気部品付き直方体状接続子の前記連続する三面のうち対向する二面の一方の面上に形成された前記複数の第１の導電路の部分が、前記第２の回路基板に設けられた前記複数の第２の接続用電極に電気的に接続され、前記複数の第２の導電路の部分が前記第２の回路基板の前記複数の第３の接続用電極に電気的に接続されることを許容し、
前記第１の回路基板の前記複数の第１の接続用電極が設けられた基板部分を受け入れて、前記電気部品付き直方体状接続子の前記連続する三面のうち対向する二面の他方の面上に形成された前記複数の第１の導電路の部分と前記第１の回路基板に設けられた前記複数の第１の接続用電極とが対向する位置で前記基板部分を保持し、
前記複数の第１の導電路の部分と前記複数の第１の接続用電極を接触させる構造を有していることを特徴とする回路基板相互接続用コネクタ装置。
【請求項１０】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路とを備えている電気部品付き直方体状接続子と、
前記直方体状接続子を収容した状態で前記第１の回路基板に取り付けられるコネクタハウジングとを具備し、
前記コネクタハウジングは、
前記直方体状接続子の前記連続する三面のうち対向する二面の一方の面上に形成された前記複数の第１の導電路の部分が、前記第１の回路基板に設けられた前記複数の第１の接続用電極に電気的に接続されることを許容し、
前記第２の回路基板の前記複数の第２の接続用電極が設けられた基板部分を受け入れて、前記直方体状接続子の前記連続する三面のうち対向する二面の他方の面上に形成された前記複数の第１の導電路の部分と前記第２の回路基板に設けられた前記複数の第２の接続用電極とが対向し、前記他方の面上に形成された前記複数の第２の導電路の部分と前記第２の回路基板に設けられて前記第３の接続用電極と対向する位置で前記基板部分を保持し、
前記複数の第１の導電路の部分と前記複数の第２の接続用電極を接触させ且つ前記複数の第２の導電路の部分と前記複数の第３の接続用電極とを接触させる構造を有していることを特徴とする回路基板相互接続用コネクタ装置。
【請求項１１】
表面に交互に第１及び第２の電極間ピッチを持って形成された複数の第１の接続用電極が並設されている第１の回路基板の前記複数の第１の接続用電極と、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている第２の回路基板の前記複数の第２の接続用電極とを電気的に接続するために用いられる回路基板相互接続用コネクタ装置であって、
連続する四面と対向する二つの端面を有する直方体状の絶縁基体と、前記絶縁基体の前記連続する四面中の少なくとも連続する三面の面上に、前記二つの端面が並ぶ方向に前記第１の電極間ピッチ及び前記第２の電極間ピッチと等しい第１の導電路間ピッチ及び第２の導電路間ピッチが交互に現れるように所定の絶縁間隔を隔てて並設された複数の第１の導電路と、前記連続する三面のうち連続する二面の面上に前記二つの端面が並ぶ方向に所定の絶縁間隔を隔てて並設され且つそれぞれ前記第１の導電路間ピッチで配置された二つの前記第１の導電路の間に絶縁間隔を隔てて前記第３の電極間ピッチと等しい第３の導電路間ピッチをあけて配置された複数の第２の導電路とを備えている電気部品付き直方体状接続子と、
前記直方体状接続子を収容した状態で前記第１の回路基板に取り付けられるコネクタハウジングとを具備し、
前記コネクタハウジングは、
前記直方体状接続子の前記連続する三面のうち対向する二面の一方の面上に形成された前記複数の第１の導電路の部分が、前記第２の回路基板に設けられた前記複数の第２の接続用電極に電気的に接続され、前記複数の第２の導電路の部分が前記第２の回路基板の前記複数の第３の接続用電極に電気的に接続されることを許容し、
前記第１の回路基板の前記複数の第１の接続用電極が設けられた基板部分を受け入れて、前記直方体状接続子の前記連続する三面のうち対向する二面の他方の面上に形成された前記複数の第１の導電路の部分と前記第１の回路基板に設けられた前記複数の第１の接続用電極とが対向する位置で前記基板部分を保持し、
前記複数の第１の導電路の部分と前記複数の第１の接続用電極を接触させる構造を有していることを特徴とする回路基板相互接続用コネクタ装置。
【請求項１２】
前記コネクタハウジングは、前記接続子の前記一方の面を露出させた状態で前記接続子を収容する第１の収容室と、前記第１の収容室と連通するように形成されて前記基板部分を収容する第２の収容室と、外部から前記第２の収容室に前記基板部分を導入する基板部分導入口とを有するハウジング本体と、
前記第２の収納室内に収納されて、前記基板部分を前記接続子に向かって押し付ける押圧手段とを備えている請求項１乃至１１のいずれか１項に記載の回路基板相互接続用コネクタ装置。
【請求項１３】
前記押圧手段は、バネ力または弾性力により前記基板部分を前記接続子に向かって押し付けるように構成されている請求項１２に記載の回路基板相互接続用コネクタ装置。
【手続補正２】
【補正対象書類名】明細書
【補正対象項目名】全文
【補正方法】変更
【補正の内容】
【発明の詳細な説明】
【技術分野】
【０００１】
本発明は、表面に所定の電極間ピッチを持って並設された複数の第１の接続用電極を有する第１の回路基板の複数の第１の接続用電極と、表面に所定の電極間ピッチを持って並設された複数の第２の接続用電極が並設された第２の回路基板の複数の第２の接続用電極とを電気的に接続するために用いられる回路基板相互接続用コネクタ装置に関するものである。
【背景技術】
【０００２】
特許文献１には、従来の回路基板相互接続用コネクタ装置が示されている。また特許文献２には、コネクタ装置に接続される回路基板側の配線部分に、保護用の抵抗体や、コンデンサや、ＥＳＤ（静電気放電）保護部品等の電気素子を接続する構成が示されている。これら保護用の電気素子は、従来では回路基板上に設けられていた（例えば、特許文献２参照。）。
【特許文献１】特開２００４−２６５５９９号公報  図６
【特許文献１】特開２００６−４０７４４号公報  図６
【発明の開示】
【発明が解決しようとする課題】
【０００３】
しかしながら、コネクタ装置により接続される二つの回路基板上に保護用の電気素子を設けると、回路基板上に電気素子実装用のスペースを確保する必要がある上、部品の実装個数が増える問題がある。また保護用の電気素子を変更する必要が生じた際に、回路基板を全体的に交換しなければならない問題点がある。更に、ＥＳＤ保護部品は、信号ライン毎に配置する必要があるため、回路基板上に実装スペースを確保しなければならない問題点があった。
【０００４】
本発明の目的は、保護用の電気素子を別個に回路基板上に実装する必要がない回路基板相互接続用コネクタ装置を提供することにある。
【課題を解決するための手段】
【０００５】
本発明の回路基板相互接続用コネクタ装置は、第１の回路基板の複数の第１の接続用電極と第２の回路基板の複数の第２の接続用電極とを電気的に接続するために用いられるものである。第１の回路基板にはその表面に所定の第１の電極間ピッチを持って形成された複数の第１の接続用電極が並設されている。また第２の回路基板にはその表面に所定の第２の電極間ピッチを持って形成された複数の第２の接続用電極が並設されている。
【０００６】
特に本発明の回路基板相互接続用コネクタ装置では、電気部品付き直方体状接続子とコネクタハウジングとを具備する。第１のタイプの電気部品付き直方体状接続子は、第１の接続用電極と第２の接続用電極との間に１種類の電気部品を直列接続できるように構成されている。この電気部品付き直方体状接続子は、連続する四面と対向する二つの端面を有する直方体状の絶縁基体を有する。絶縁基体の連続する四面中の少なくとも連続する三面うちの対向する二面の一方の面上には、二つの端面が並ぶ方向に所定の絶縁間隔を隔てて並設された複数の第１の導電路部分を有する。また連続する三面のうちの対向する二面の他方の面上には、二つの端面が並ぶ方向に所定の絶縁間隔を隔てて並設された設けられた複数の第２の導電路部分を有している。そして連続する三面のうちの対向する二面の間に位置する一面上には、二つの端面が並ぶ方向に所定の絶縁間隔を隔てて並設された複数の電気素子を備えている。複数の電気素子は、それぞれ対応する複数の第１の導電路部分及び複数の第２の導電路部分と電気的に直列接続されている。複数の第１の導電路部分の導電路間ピッチは第１の電極間ピッチと実質的に等しく、複数の第２の導電路部分の導電路間ピッチは第２の電極間ピッチと実質的に等しくなるように構成されている。
【０００７】
そしてコネクタハウジングは、電気部品付き直方体状接続子の複数の第１の導電路部分が、第１の回路基板に設けられた複数の第１の接続用電極に電気的に接続されることを許容するようになっている。またコネクタハウジングは、第２の回路基板の複数の第２の接続用電極が設けられた基板部分を受け入れて、電気部品付き直方体状接続子の複数の第２の導電路部分と複数の第２の接続用電極とが対向する位置で基板部分を保持するようになっている。さらにコネクタハウジングは、複数の第２の導電路部分に複数の第２の接続用電極を接触させる構造を有している。
【０００８】
本発明の回路基板相互接続用コネクタ装置では、一方の回路基板をコネクタハウジングに挿入する作業を行うことにより、二つの回路基板を相互に電気的に接続することができる。また本発明によれば、コネクタハウジング内に、複数の接点部品を配置することなく、１つの電気部品付き直方体状接続子を配置するだけでコネクタ装置を構成できるので、少ない部品点数でコネクタ装置を構成することができる。特に本発明によれば、二つの回路基板を接続するために用いられる直方体状接続子上に電気素子が形成されているため、一方の回路基板上に回路基板相互接続用コネクタ装置を実装するだけで、相互接続される二つの回路基板の接続用電極間に保護用の電気素子を接続することができる。したがって本発明の回路基板相互接続用コネクタ装置を用いれば、回路基板上に別個に保護用の電気素子を実装する必要がない。
【０００９】
なお電気素子が形成される絶縁基体の一面上には、複数の第１の導電路部分とそれぞれ接続された複数の第１の電極部分と、複数の第２の導電路部分とそれぞれ接続された複数の第２の電極部分とが形成されているのが好ましい。この場合、電気素子は第１の電極部分と第２の電極部分とに跨って形成される。このようにすると電気素子と第１の導電路部分及び第２の導電路部分との電気的な接続を確実なものとすることができる。
【００１０】
本発明で用いる第２のタイプの電気部品付き直方体状接続子は、第１の接続用電極と第２の接続用電極との間に並列接続された２つの電気部品を直列接続するように構成されている。絶縁基体の連続する四面のうちの対向する二面の一方の面上に、二つの端面が並ぶ方向に所定の絶縁間隔を隔てて並設された複数の第１の導電路部分と、連続する四面のうちの対向する前記二面の他方の面上に、二つの端面が並ぶ方向に所定の絶縁間隔を隔てて並設された設けられた複数の第２の導電路部分とを有する。また絶縁基体の連続する四面のうちの対向する二面の間に位置する二面の一方の面上には、二つの端面が並ぶ方向に所定の絶縁間隔を隔てて並設された第１のグループの複数の電気素子を有している。また絶縁基体の連続する四面のうちの対向する二面の間に位置する二面の他方の面上には、二つの端面が並ぶ方向に所定の絶縁間隔を隔てて並設された第２のグループの複数の電気素子を備えている。そして第１及び第２のグループの複数の電気素子がそれぞれ対応する複数の第１の導電路部分及び複数の第２の導電路部分とに電気的に直列接続された構成になっている。このような第２のタイプの電気部品付き直方体状接続子を用いた回路基板相互接続用コネクタ装置によれば、第１の回路基板の第１の接続用電極と第２の回路基板の第２の接続用電極との間に、第１のグループに属する電気素子と第２のグループに属する電気素子とが並列接続された並列回路を、コネクタ装置以外の別部品を回路基板に実装することなく、配置することができる。第１のグループの複数の電気素子と第２のグループの複数の電気素子とは、電気的特性または種類が同じものでもよい。しかし電気的特性または種類が異なっているものを用いると、例えばＲＣ並列回路や、ＬＣ並列回路等をコネクタ装置内に簡単に配置することができる。
【００１１】
なお第２のタイプの電気部品付き直方体状接続子では、絶縁基体の第１のグループの複数の電気素子が形成される一面上に、複数の第１の導電路部分とそれぞれ接続された複数の第１の電極部分と、複数の第２の導電路部分とそれぞれ接続された複数の第２の電極部分とが形成され、第１のグループの電気素子は第１の電極部分と第２の電極部分とに跨って形成されるのが好ましい。また第２のグループの複数の電気素子が形成される一面上に、複数の第１の導電路部分とそれぞれ接続された複数の第３の電極部分と、複数の第２の導電路部分とそれぞれ接続された複数の第４の電極部分とが形成され、第２のグループの電気素子は第３の電極部分と第４の電極部分とに跨って形成されるのが好ましい。
【００１２】
第１及び第２のタイプの電気部品付き直方体状接続子のいずれをコネクタ装置のコネクタハウジング内に配置する場合でも、複数の第１の導電路部分の導電路間ピッチと複数の第２の導電路部分の導電路間ピッチとを等しくして、しかも複数の第１の導電路部分と複数の第２の導電路部分とを絶縁基体の二つの端面が並ぶ方向に互い違いに形成することができる。このようにすると第１の導電路部分と第２の導電路部分の間の距離を任意に設定することにより、第１の導電路部分と第２の導電路部分との間に形成される電気素子の大きさを任意に設定することができる。
【００１３】
また複数の第１の導電路部分の導電路間ピッチと複数の第２の導電路部分の導電路間ピッチとが異なると、第１の回路基板における複数の第１の接続用電極の電極間ピッチを複数の第１の導電路部分の導電路間ピッチに合わせ、第２の回路基板における複数の第２の接続用電極の電極間ピッチを複数の第２の導電路部分の導電路間ピッチに合わせることにより、電極間ピッチの異なる第１の回路基板と第２の回路基板とを電気素子を介して電気的に接続することができる。
【００１４】
また本発明の回路基板相互接続用コネクタ装置は、次のように構成することによりＥＳＤ（静電気放電）保護部品を内蔵した構造とすることができる。ＥＳＤ（静電気放電）保護部品を内蔵した回路基板相互接続用コネクタ装置で接続される第１の回路基板では、表面に交互に第１及び第２の電極間ピッチを持って形成された複数の第１の接続用電極が並設されている。また第２の回路基板では、表面に交互に前記第１及び第２の電極間ピッチを持って形成された複数の第２の接続用電極が並設され且つ前記第１の電極間ピッチで配置された二つの前記第２の接続用電極の間に配置されるように第３の電極間ピッチを持って形成された複数の第３の接続用電極が並設されている。回路基板相互接続用コネクタ装置は、第１の回路基板の前記複数の第１の接続用電極と、第２の回路基板の前記複数の第２の接続用電極とを電気的に接続する。
【００１５】
この回路基板相互接続用コネクタ装置では、第３または第４のタイプの電気部品付き直方体状接続子とコネクタハウジングとを用いる。第３のタイプの電気部品付き直方体状接続子は、連続する四面と対向する二つの端面を有する直方体状の絶縁基体を有する。そして絶縁基体には、絶縁基体の連続する四面中の少なくとも連続する三面の面上に、二つの端面が並ぶ方向に第１の電極間ピッチ及び第２の電極間ピッチと等しい第１の導電路間ピッチ及び第２の導電路間ピッチが交互に現れるように所定の絶縁間隔を隔てて並設された複数の第１の導電路が設けられている。また絶縁基体には、連続する三面のうち連続する二面の面上に二つの端面が並ぶ方向に所定の絶縁間隔を隔てて並設され且つそれぞれ第１の導電路間ピッチで配置された二つの第１の導電路の間に絶縁間隔を隔てて第３の電極間ピッチと等しい第３の導電路間ピッチをあけて配置された複数の第２の導電路とを備えている。更に絶縁基体には、連続する三面のうちの対向する二面の間に位置する一面上にあって第１の導電路間ピッチをあけて配置された二つの第１の導電路の部分と二つの第１の導電路の部分の間に位置する第２の導電路の部分とに跨って形成されたＥＳＤ吸収素子材料からなる電気素子とが設けられている。
【００１６】
この場合、第２の導電路の部分がアースに接続されることになり、第１の導電路の部分と第２の導電路の部分との間で静電気放電を発生させる。第１の導電路の部分と第２の導電路の部分との間に配置するＥＳＤ吸収素子材料の特性は、必要とする放電特性に応じて任意に定められる。なお第４のタイプの電気部品付き直方体状接続子では、ＥＳＤ吸収素子材料からなる電気素子を形成せずに、第１の導電路の部分と第２の導電路の部分とが放電用ギャップを介して対向している。このようにしても第１の導電路の部分と第２の導電路の部分との間で静電気放電を発生させることができる。
【００１７】
いずれのタイプの電気部品付き直方体状接続子でも、複数の第１の導電路の導電路間ピッチが第１及び第２の電極間ピッチと実質的に等しく、複数の第２の導電路の導電路間ピッチが第３の電極間ピッチと実質的に等しくなるように構成されている。
【００１８】
そして第１の回路基板にコネクタハウジングが装着される場合には、コネクタハウジングは、電気部品付き直方体状接続子を収容した状態で第１の回路基板に取り付けらる。またコネクタハウジングは、電気部品付き直方体状接続子の連続する三面のうち対向する二面の一方の面上に形成された複数の第１の導電路の部分が、第１の回路基板に設けられた複数の第１の接続用電極に電気的に接続されることを許容するように構成される。さらにコネクタハウジングは、第２の回路基板の複数の第２の接続用電極が設けられた基板部分を受け入れて、電気部品付き直方体状接続子の連続する三面のうち対向する二面の他方の面上に形成された複数の第１の導電路の部分と第２の回路基板に設けられた複数の第２の接続用電極とが対向し、他方の面上に形成された複数の第２の導電路の部分と第２の回路基板に設けられて第３の接続用電極と対向する位置で基板部分を保持するように構成される。そしてコネクタハウジングは、複数の第１の導電路の部分と複数の第２の接続用電極を接触させ且つ複数の第２の導電路の部分と複数の第３の接続用電極とを接触させる構造を有している。この場合、第３の接続用電極がアース電極となる。
【００１９】
そして第２の回路基板にコネクタハウジングが装着される場合には、コネクタハウジングは、直方体状接続子の連続する三面のうち対向する二面の一方の面上に形成された複数の第１の導電路の部分が、第２の回路基板に設けられた複数の第２の接続用電極に電気的に接続され、複数の第２の導電路の部分が第２の回路基板の複数の第３の接続用電極に電気的に接続されることを許容するように構成されている。またコネクタハウジングは、第１の回路基板の複数の第１の接続用電極が設けられた基板部分を受け入れて、直方体状接続子の連続する三面のうち対向する二面の他方の面上に形成された複数の第１の導電路の部分と第１の回路基板に設けられた複数の第１の接続用電極とが対向する位置で基板部分を保持するように構成されている。そしてコネクタハウジングは、複数の第１の導電路の部分と複数の第１の接続用電極を接触させる構造を有している。この場合においても、第３の接続用電極がアース電極となる。
【００２０】
コネクタハウジングは、接続子の一方の面を露出させた状態で接続子を収容する第１の収容室と、この第１の収容室と連通するように形成されて基板部分を収容する第２の収容室と、外部から第２の収容室に基板部分を導入する基板部分導入口とを有するハウジング本体と、第２の収納室内に収納されて、基板部分を接続子に向かって押し付ける押圧手段とを備えた構成とすることができる。このような構成にすると、コネクタハウジングによって接続子の一方の回路基板に対する位置決めと、この接続子に対する他方の回路基板に対する位置決めと、基板部分を接続子に押し付ける押圧手段の位置決めとを容易に行うことができる。また押圧手段は、バネ力または弾性力により基板部分を接続子に向かって押し付けるように構成することができる。このような押圧手段を用いると、基板部分を接続子に向かって押し付ける力を容易に得ることができる。
【発明の効果】
【００２１】
本発明に係る回路基板相互接続用コネクタ装置によれば、一方の回路基板をコネクタハウジングに挿入する作業を行うことにより、二つの回路基板を相互に電気的に接続することができる。また本発明によれば、コネクタハウジング内に、複数の接点部品を配置することなく、１つの電気部品付き直方体状接続子を配置するだけでコネクタ装置を構成できるので、少ない部品点数でコネクタ装置を構成することができる利点がる。また特に本発明によれば、二つの回路基板を接続するために用いられる直方体状接続子上に電気素子が形成されているため、一方の回路基板上に回路基板相互接続用コネクタ装置を実装するだけで、相互接続される二つの回路基板の接続用電極間に保護用の電気素子を接続することができる。したがって本発明の回路基板相互接続用コネクタ装置を用いれば、回路基板上に別個に保護用の電気素子を実装する必要がないという利点が得られる。
【発明を実施するための最良の形態】
【００２２】
以下、本発明を実施するための最良の形態を、図面に示した各実施例により詳細に説明する。
【００２３】
図１乃至図５は、本発明に係る回路基板相互接続用コネクタ装置の第１実施例を示したものである。ここで、図１は本例の回路基板相互接続用コネクタ装置で接続の対象とする第１の回路基板と第２の回路基板の部分正面図、図２は本例の回路基板相互接続用コネクタ装置の斜視図、図３（Ａ）乃至（Ｅ）は本例で用いる電気部品付き直方体状接続子の斜視図及び複数の導電路を加工する前の直方体状接続子の斜視図、図４（Ａ）及び（Ｂ）は本例で用いるコネクタハウジング内に直方体状接続子を収容した状態の斜視図及びコネクタハウジングの開口部に嵌められる接触させる構造の斜視図、図５は内部に電気部品付き直方体状接続子を収容したコネクタハウジングの縦断面図である。
【００２４】
本例の回路基板相互接続用コネクタ装置は、図１に示すように、第１の回路基板１の複数の第１の接続用電極３・・・と、第２の回路基板５の複数の第２の接続用電極７・・・とを電気的に接続するために用いられるものである。第１の回路基板１は、その表面に所定の第１の電極間ピッチｐａを持って並設された複数の第１の接続用電極３・・・を有する。また、第２の回路基板５は、その表面に所定の第２の電極間ピッチｐｂを持って並設された複数の第２の接続用電極７・・・を有する。第１及び第２の電極間ピッチｐａ及びｐｂは任意である。例えば、第１及び第２の電極間ピッチｐａ及びｐｂを０．２ｍｍ以下とすることも可能である。本例の第１の回路基板１上に並設された第１の接続用電極３・・・の第１の電極間ピッチｐａと、第２の回路基板５上に並設された第２の接続用電極７・・・の第２の電極間ピッチｐｂは等しくなっている。第２の回路基板５は、本例では幅が狭いフレキシブルの回路基板となっている。
【００２５】
本例の回路基板相互接続用コネクタ装置は、図３（Ｄ）に示す電気部品付き直方体状接続子９と、図２及び図４（Ａ）に示すコネクタハウジング１１とを用いる。
【００２６】
電気部品付き直方体状接続子９は、図３（Ａ）〜（Ｄ）に示すように、直方体状をしたセラミック製の絶縁基体１３を有る。絶縁基体１３は、連続する四面１３ａ〜１３ｄと対向する二つの端面１３ｅ及び１３ｆを有する。この絶縁基体１３の連続する四面１３ａ〜１３ｄ中の少なくとも連続する三面１３ａ〜１３ｃうちの対向する二面１３ａ及び１３ｃの一方の端面１３ａ上に、二つの端面１３ｅ及び１３ｆが並ぶ方向に所定の絶縁間隔（センター間の間隔）１５・・・を隔てて並設された複数の第１の導電路部分１７ａ・・・と、連続する三面１３ａ〜１３ｃのうちの対向する二面１３ａ及び１３ｃの他方の端面１３ｃ上に、二つの端面１３ｅ及び１３ｆが並ぶ方向に所定の絶縁間隔１５・・・を隔てて並設された設けられた複数の第２の導電路部分１７ｂ・・・と、連続する三面１３ａ〜１３ｃのうちの対向する二面１３ａ及び１３ｃの間に位置する一面１３ｂ上に二つの端面１３ｅ及び１３ｆが並ぶ方向に所定の絶縁間隔１５・・・を隔てて並設された複数の電気素子１９・・・とを備えている。電気素子１９・・・としては、抵抗体やコンデンサ等が用いられる。複数の電気素子１９・・・は、それぞれ対応する複数の第１の導電路部分１７ａ・・・及び複数の第２の導電路部分１７ｂ・・・と電気的に直列接続されている。本例では、電気素子１９・・・が形成される一面１３ｂ上には、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成され、電気素子１９・・・は第１の電極部分２１ａ・・・と第２の電極部分２１ｂ・・・とに跨って形成されている。なお各図においては、図示を簡略するために、電気素子１９・・・と第１の電極部分２１ａ・・・及び第２の電極部分２１ｂ・・・との重合状態の図示は省略してある。本例では、複数の第１の導電路部分１７ａ・・・の導電路間ピッチｐａが第１の電極間ピッチｐａと実質的に等しく、複数の第２の導電路部分の導電路間ピッチｐｂが第２の電極間ピッチｐｂと実質的に等しくなるように構成されている。
【００２７】
このような電気部品付き直方体状接続子９は、例えば次のようにして製造することができる。図３（Ａ）に示すように、絶縁基体１３の連続する四面１３ａ〜１３ｄの全面に、印刷、メッキ、スパッタリング等の手段で、例えば金、銀、銅、銅・ニッケル合金、金・銀合金等の高導電率材料からなる導電部１７ｍを面状に形成する。絶縁基体１３上の導電部１７ｍを、図３（Ｂ）に示すように、二つの端面１３ｅ及び１３ｆが並ぶ方向に所定の絶縁間隔１５・・・が形成されるように、周方向にレーザー等で取り除くことにより複数の導電路１７・・・を形成する。例えば、レーザー等で絶縁間隔１５・・・の幅を２０μｍ、導電路１７・・・の幅を８０μｍにして、これを０．１ｍｍのピッチで繰り返すことで、図３（Ｂ）に示す形状にする。次に、図３（Ｃ）及び（Ｄ）に示すように、絶縁基体１３の一面１３ｄの導電路１７・・・の部分をレーザー等で取り除き、絶縁基体１３上の連続する三面１３ａ〜１３ｃに複数の導電路１７・・・が残るようにする。続いて、絶縁基体１３の連続する三面１３ａ〜１３ｃ中で、中央に位置する一面１３ｂ上に設けられた導電路１７・・・の中央部分をレーザー等で取り除く。これにより、絶縁基体１３の一面１３ａ上に、複数の第１の導電路部分１７ａ・・・が二つの端面１３ｅ及び１３ｆが並ぶ方向に所定の絶縁間隔１５・・・を隔てて並設される。また、絶縁基体１３の一面１３ａに対向する一面１３ｃ上に、複数の第２の導電路部分１７ｂ・・・が二つの端面１３ｅ及び１３ｆが並ぶ方向に所定の絶縁間隔１５・・・を隔てて並設される。かつまた、絶縁基体１３の連続する三面１３ａ〜１３ｃ中で、中央に位置する一面１３ｂ上に、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成される。次に、図３（Ｄ）に示すように、この絶縁基体１３の連続する三面１３ａ〜１３ｃ中で、中央に位置する一面１３ｂ上に形成した、複数の第１の電極部分２１ａ・・・と複数の第２の電極部分２１ｂ・・・との間に、これらに複数の第１の電極部分２１ａ・・・と複数の第２の電極部分２１ｂ・・・とに接続して複数の電気素子１９・・・を生成する。これにより電気部品付き直方体状接続子９が完成する。なお、導電路１７・・・の幅を８０μｍより小さくすることで、０．１ｍｍのピッチ以下のピッチも可能になる。
【００２８】
コネクタハウジング１１は、液晶ポリマー製であって、図５に示すように、電気部品付き直方体状接続子９の一方の端面１３ａを露出させた状態でこの電気部品付き直方体状接続子９を収容する第１の収容室１１ａと、この第１の収容室１１ａと連通するように形成されて第２の回路基板５の基板部分５ａを収容する第２の収容室１１ｂと、外部から第２の収容室１１ｂに基板部分５ａを導入する基板部分導入口２３とを有する。
【００２９】
このコネクタハウジング１１は、図２及び図４（Ａ）に示すように、電気部品付き直方体状接続子９を第１の収容室１１ａに位置決めして収容した状態で第１の回路基板１に取り付けられる。コネクタハウジング１１の第１の回路基板１に対する取り付けは、コネクタハウジング１１の四隅の底面を第１の回路基板１に接着して固定するか、コネクタハウジング１１の四隅にフックを突設して、これらフックを第１の回路基板１の４つの貫通孔に通して裏面に係止させること等により行う。コネクタハウジング１１を第１の回路基板１に取り付けるに際しては、コネクタハウジング１１内に収容した電気部品付き直方体状接続子９の複数の第１の導電路部分１７ａ・・・を第１の回路基板１の複数の第１の接続用電極３・・・に合致させて加圧接触させるか、電気部品付き直方体状接続子９の複数の第１の導電路部分１７ａ・・・を導電性接着剤を介して第１の回路基板１の複数の第１の接続用電極３・・・に合致させて重ねて接着する。
【００３０】
このコネクタハウジング１１は、内蔵する電気部品付き直方体状接続子９の連続する三面１３ａ〜１３ｃのうちの対向する二面１３ａ及び１３ｃの一方の端面１３ａ上に設けられた複数の第１の導電路部分１７ａ・・・が、第１の回路基板１に設けられた複数の第１の接続用電極３・・・に電気的に接続されることを許容するようになっている。また、コネクタハウジング１１は、第２の回路基板５の複数の第２の接続用電極７・・・が設けられた基板部分５ａを、コネクタハウジング１１の基板部分導入口２３から受け入れて、電気部品付き直方体状接続子９の連続する三面１３ａ〜１３ｃのうちの対向する二面１３ａ及び１３ｃの他方の端面１３ｃ上に設けられた複数の第２の導電路部分１７ｂ・・・と第２の回路基板５の複数の第２の接続用電極７・・・とが対向する位置で基板部分５ａを保持するようになっている。基板部分導入口２３の長さは第２の回路基板５の幅と等しくなっていて、コネクタハウジング１１内で第２の回路基板５の位置決めを行うようになっている。さらに、対向する二面１３ａ及び１３ｃの他方の端面１３ｃ上に設けられた複数の第２の導電路部分１７ｂ・・・に、第２の回路基板５に設けられた複数の第２の接続用電極７・・・を接触させる構造２５を有している。この接触させる構造２５は、コネクタハウジング１１の上面の開口部２７に被せられて固定される蓋部材２９と、この蓋部材２９の裏面に接着等で固定されてコネクタハウジング１１の開口部２７内に挿入されている第２の回路基板５の基板部分５ａを弾性的に押圧するゴム板等の弾性押圧部材３１とを有する。蓋部材２９は、その裏面の長手方向の両端のフック３３を、コネクタハウジング１１の上面の長手方向の両端のフック孔３５に弾性的に嵌めて固定するようになっている。
【００３１】
このような回路基板相互接続用コネクタ装置は、電気部品付き直方体状接続子９を収容したコネクタハウジング１１を、電気部品付き直方体状接続子９の複数の第１の導電路部分１７ａ・・・を第１の回路基板１の複数の第１の接続用電極３・・・に前述したように接続して、第１の回路基板１に固定する。かかる状態で、開口部２７を開いたコネクタハウジング１１の基板部分導入口２３に第２の回路基板５の基板部分５ａを、その複数の第２の導電路部分１７ｂ・・・を下向きにして挿入する。この挿入で、電気部品付き直方体状接続子９はコネクタハウジング１１に位置決めされ、第２の回路基板５の基板部分５ａはコネクタハウジング１１に基板部分導入口２３に位置決めされているので、電気部品付き直方体状接続子９の複数の第２の導電路部分１７ｂ・・・に第２の回路基板５の複数の第２の接続用電極７・・・が合致して個々に重なる。しかる後に、コネクタハウジング１１の開口部２７に接触させる構造２５の蓋部材２９を被せて固定し、この蓋部材２９の裏面のゴム板等の弾性押圧部材３１で第２の回路基板５の基板部分５ａを加圧して電気部品付き直方体状接続子９に密着させ、第２の回路基板５の複数の第２の接続用電極７・・・の電気部品付き直方体状接続子９の複数の第２の導電路部分１７ｂ・・・に対する電気的接続を安定化させる。
【００３２】
図６（Ａ）及び（Ｂ）は本発明に係る回路基板相互接続用コネクタ装置の第２実施例で用いる電気部品付き直方体状接続子９の他の例の斜視図及びこの斜視図をその長手方向の中心軸線の回りに１８０°回転した状態の斜視図である。
【００３３】
この電気部品付き直方体状接続子９は、第１実施例の電気部品付き直方体状接続子９の変形例を示したもので、絶縁基体１３の一面１３ａ上に設けられた複数の第１の導電路部分１７ａ・・・と、この一面１３ａに対向する一面１３ｃ上に設けられた複数の第２の導電路部分１７ｂ・・・とが、二つの端面１３ｅ及び１３ｆが並ぶ方向に互い違いにずらされている。電気部品付き直方体状接続子９の一面１３ｂ上で、複数の第１の導電路部分１７ａ・・・につながる複数の第１の電極部分２１ａ・・・と、複数の第２の導電路部分１７ｂ・・・につながる複数の第２の電極部分２１ｂ・・・とが、それぞれ所定の長さで平行する状態で対向するようになっている。これら所定の長さで平行する状態で対向する複数の第１の電極部分２１ａ・・・と複数の第２の電極部分２１ｂ・・・の間に抵抗やコンデンサ等の複数の電気素子１９・・・が配置されて電気的に接続されている。
【００３４】
この電気部品付き直方体状接続子９を用いた回路基板相互接続用コネクタ装置でも、第１実施例の電気部品付き直方体状接続子９を用いた回路基板相互接続用コネクタ装置と同様な効果を得ることができる。
【００３５】
図７（Ａ）及び（Ｂ）は本発明に係る回路基板相互接続用コネクタ装置の第３の実施例で用いる電気部品付き直方体状接続子９の他の例の斜視図及びこの斜視図をその長手方向の中心軸線の回りに１８０°回転した状態の斜視図である。第３の実施例では、第２のタイプの電気部品付き直方体状接続子９を用いる。この電気部品付き直方体状接続子９では、第１の回路基板の第１の接続用電極と第２の回路基板の第２の接続用電極との間に並列接続された２つの電気部品を直列接続することができる。絶縁基体１３の連続する四面１３ａ〜１３ｄのうちの対向する二面１３ａ及び１３ｃの一方の面１３ａ上に、二つの端面１３ｅ及び１３ｆが並ぶ方向に所定の絶縁間隔を隔てて並設された複数の第１の導電路部分１７ａ・・・と、連続する四面１３ａ〜１３ｄのうちの対向する二面１３ａ及び１３ｃの他方の面１３ｃ上に、二つの端面１３ｅ及び１３ｆが並ぶ方向に所定の絶縁間隔を隔てて並設された設けられた複数の第２の導電路部分１７ｂ・・・とを有する。また絶縁基体１３の連続する四面１３ａ〜１３ｄのうちの対向する二面１３ａ及び１３ｃの間に位置する二面１３ｂ及び１３ｄの一方の面１３ｂ上には、二つの端面１３ｅ及び１３ｆが並ぶ方向に所定の絶縁間隔を隔てて並設された抵抗やコンデンサ等の第１のグループの複数の電気素子１９ａ・・・を有している。また絶縁基体１３の連続する四面１３ａ〜１３ｄのうちの対向する二面１３ａ及び１３ｃの間に位置する二面１３ｂ及び１３ｄの他方の面１３ｄ上には、二つの端面１３ｅ及び１３ｆが並ぶ方向に所定の絶縁間隔を隔てて並設された抵抗やコンデンサ等の第２のグループの複数の電気素子１９ｂ・・を備えている。そして第１及び第２のグループの複数の電気素子１９ａ・・・及び１９ｂ・・が、それぞれ対応する複数の第１の導電路部分１７ａ・・・及び複数の第２の導電路部分１７ｂ・・・とに電気的に直列接続された構成になっている。具体的には、絶縁基体１３の第１のグループの複数の電気素子１９ａ・・・が形成される一面１３ｂ上に、複数の第１の導電路部分１７ａ・・・とそれぞれ接続された複数の第１の電極部分２１ａ・・・と、複数の第２の導電路部分１７ｂ・・・とそれぞれ接続された複数の第２の電極部分２１ｂ・・・とが形成されている。そして第１のグループの電気素子１９ａ・・・は第１の電極部分２１ａ・・・と第２の電極部分２１ｂ・・・とに跨って形成されている。また第２のグループの複数の電気素子が形成される一面１３ｄ上には、複数の第１の導電路部分１７ａ・・・とそれぞれ接続された複数の第３の電極部分２１ｃ・・・と、複数の第２の導電路部分１７ｂ・・・とそれぞれ接続された複数の第４の電極部分２１ｄ・・・とが形成されている。そして第２のグループの電気素子１９ｂ・・・は、第３の電極部分２１ｃ・・・と第４の電極部分２１ｄ・・・とに跨って形成されている。本実施例で用いるような第２のタイプの電気部品付き直方体状接続子９を用いた回路基板相互接続用コネクタ装置によれば、第１の回路基板の第１の接続用電極と第２の回路基板の第２の接続用電極との間に、第１のグループに属する電気素子１９ａ・・・と第２のグループに属する電気素子１９ｂ・・・とが並列接続され���並列回路を、コネクタ装置以外の別部品を回路基板に実装することなく、配置することができる。第１のグループの複数の電気素子１９ａ・・・と第２のグループの複数の電気素子１９ｂ・・・とは、電気的特性または種類が同じものでもよい。しかし電気的特性または種類が異なっているものを用いると、例えばＲＣ並列回路や、ＬＣ並列回路等をコネクタ装置内に簡単に配置することができる。
【００３６】
図８（Ａ）及び（Ｂ）は、図７（Ａ）及び（Ｂ）に示したび第２のタイプの電気部品付き直方体状接続子９の変形例を示してた各斜視図である。図８に示した電気部品付き直体状接続子９では、複数の第１の導電路部分１７ａ・・・の導電路間ピッチと複数の第２の導電路部分１７ｂ・・・の導電路間ピッチとを等しくしているが、複数の第１の導電路部分１７ａ・・・と複数の第２の導電路部分１７ｂ・・・とを絶縁基体１３の二つの端面１３ｅ及び１３ｆが並ぶ方向に互い違いに形成されている。そのため第１の電極部分２１ａと第２の電極部分２１ｂも二つの端面１３ｅ及び１３が並ぶ方向に互い違いに配置され、第１のグループの電気素子１９ａは二つの端面１３ｅ及び１３が並ぶ方向に並ぶ第１の電極部分２１ａと第２の電極部分２１ｂとに跨って形成されている。同様にして第３の電極部分２１ｃと第４の電極部分２１ｄも二つの端面１３ｅ及び１３が並ぶ方向に互い違いに配置され、第２のグループの電気素子１９ｂは二つの端面１３ｅ及び１３が並ぶ方向に並ぶ第３の電極部分２１ｃと第４の電極部分２１ｄとに跨って形成されている。その他の点は、図７の例と同じである。
【００３７】
図９（Ａ）及び（Ｂ）は、回路基板相互接続用コネクタ装置にＥＳＤ（静電気放電）保護部品を内蔵させる場合に用いる第３のタイプの電気部品付き直方体状接続子９を背面側から見た斜視図と正面側から見た斜視図とを示している。この第３のタイプの電気部品付き直方体状接続子９を図４に示しコネクタハウジング１１内に配置した回路基板相互接続用コネクタ装置で接続される第１の回路基板１は、図１０（Ａ）に示すように、表面に交互に第１及び第２の電極間ピッチＰ１及びＰ２を持って形成された複数の第１の接続用電極３が並設されている。また第２の回路基板５では、図１０（Ｂ）に示すように、表面に交互に第１及び第２の電極間ピッチＰ１及びＰ２を持って形成された複数の第２の接続用電極７が並設され且つ第１の電極間ピッチＰ１で配置された二つの第２の接続用電極７の間に配置されるように第３の電極間ピッチＰ３を持って形成された複数の第３の接続用電極８が並設されている。
【００３８】
そしてこの回路基板相互接続用コネクタ装置で用いる第３のタイプの電気部品付き直方体状接続子９は、連続する四面１３ａ〜１３ｄと対向する二つの端面１３ｅ及び１３ｆを有する直方体状の絶縁基体１３を有する。そして絶縁基体１３には、絶縁基１３体の連続する四面１３ａ〜１３ｄ中の少なくとも連続する三面１３ａ〜１３ｃの面上に、二つの端面１３ｅ及び１３ｆが並ぶ方向に第１の電極間ピッチＰ１及び第２の電極間ピッチＰ２と等しい第１の導電路間ピッチＰ１及び第２の導電路間ピッチＰ２が交互に現れるように所定の絶縁間隔を隔てて並設された複数の第１の導電路１７ａが設けられている。また絶縁基体１３には、連続する三面１３ａ〜１３ｃのうち連続する連続する二面１３ｂ及び１３ｃを含む連続する三面１３ｂ〜１３ｄの面上に二つの端面が並ぶ方向に所定の絶縁間隔を隔てて第２の導電路１７ｂが並設されている。複数の第２の導電路１７ｂは、それぞれ第１の導電路間ピッチＰ１で配置された二つの第１の導電路１７ａの間に絶縁間隔を隔てて第３の電極間ピッチＰ３と等しい第３の導電路間ピッチをあけて配置されている。更に絶縁基体には、連続する三面１３ａ〜１３ｃのうちの対向する二面１３ａ及び１３ｃの間に位置する一面１３ｂ上にあって第１の導電路間ピッチＰ１をあけて配置された二つの第１の導電路１７ａの部分と二つの第１の導電路１７ａの部分の間に位置する第２の導電路１７ｂの部分とに跨って形成されたＥＳＤ吸収素子材料からなる電気素子１９とが設けられている。ここでＥＳＤ吸収素子材料からなる電気素子１９は、ＥＳＤ吸収素子材料で構成されている。この場合、第２の導電路１７ｂがアースに接続されることになり、第１の導電路１７ａの部分と第２の導電路１７ｂの部分との間で静電気放電を発生させる。
【００３９】
図１１（Ａ）及び（Ｂ）は、図９に示した第３のタイプの電気部品付き直方体状接続子９と同様に、回路基板相互接続用コネクタ装置にＥＳＤ（静電気放電）保護部品を内蔵させる場合に用いる第４のタイプの電気部品付き立方体状接続子９である。第４のタイプの電気部品付き立方体状接続子９は、図９（Ａ）及び（Ｂ）に示したは第３のタイプの電気部品付き直方体状接続子からＥＳＤ吸収素子材料からなる電気素子１９を除いて、絶縁基体１３の一面１３ｂ上で第２の導電路１７ｂとその両側の第１の導電路１７ａとの間に放電用ギャップＧを設けた構造を有している。したがってこの第４のタイプの電気部品付き立方体状接続子９を用いた場合には、第１の導電路１７ａの部分と第２の導電路１７ｂの部分との間の放電用ギャップＧの箇所で直接的に静電気放電が発生する。
【００４０】
第３のタイプの電気部品付き直方体状接続子９及び第４のタイプの電気部品付き立方体状接続子９を用いる場合には、いずれのタイプの直方体状接続子でも、第１の回路基板にコネクタハウジングが装着される場合には、コネクタハウジングは、直方体状接続子を収容した状態で第１の回路基板に取り付けられる。またコネクタハウジングは、直方体状接続子の連続する三面１３ａ〜１３ｃのうち対向する二面１３ａ及び１３ｃの一方の面１３ａ上に形成された複数の第１の導電路１７ａの部分が、第１の回路基板に設けられた複数の第１の接続用電極３に電気的に接続されることを許容するように構成するればよい。さらにコネクタハウジングは、第２の回路基板５の複数の第２の接続用電極７が設けられた基板部分を受け入れて、直方体状接続子の連続する三面１３ａ〜１３ｃのうち対向する二面１３ａ及び１３ｃの他方の面１３ｃ上に形成された複数の第１の導電路１７ａの部分と第２の回路基板５に設けられた複数の第２の接続用電極７とが対向し、他方の面１３ｃ上に形成された複数の第２の導電路１７ｂの部分と第２の回路基板５に設けられて第３の接続用電極８と対向する位置で基板部分を保持するように構成すればよい。そしてコネクタハウジングは、複数の第１の導電路１７ａの部分と複数の第２の接続用電極７を接触させ且つ複数の第２の導電路１７ｂの部分と複数の第３の接続用電極８とを接触させる構造を有していればよい。この場合、第３の接続用電極がアース電極となる。
【００４１】
そして第２の回路基板５にコネクタハウジングが装着される場合には、コネクタハウジングは、直方体状接続子９の連続する三面１３ａ〜１３ｃのうち対向する二面１３ａ及び１３ｃの一方の面１３ａ上に形成された複数の第１の導電路１７ａの部分が、第２の回路基板５に設けられた複数の第２の接続用電極７に電気的に接続され、複数の第２の導電路１７ｂの部分が第２の回路基板５の複数の第３の接続用電極８に電気的に接続されることを許容するように構成される。またコネクタハウジングは、第１の回路基板１の複数の第１の接続用電極３が設けられた基板部分を受け入れて、直方体状接続子の連続する三面１３ａ〜１３ｃのうち対向する二面１３ａ及び１３ｃの他方の面１３ｃ上に形成された複数の第１の導電路１７ａの部分と第１の回路基板１に設けられた複数の第１の接続用電極３とが対向する位置で基板部分を保持するように構成する。そしてコネクタハウジングは、複数の第１の導電路１７ａの部分と複数の第１の接続用電極３を接触させる構造を有している。この場合においても、第３の接続用電極がアース電極となる。
【図面の簡単な説明】
【００４２】
【図１】本発明に係る回路基板相互接続用コネクタ装置の第１実施例で接続の対象とする第１の回路基板と第２の回路基板の部分正面図である。
【図２】第１実施例の回路基板相互接続用コネクタ装置の斜視図である。
【図３】（Ａ）乃至（Ｅ）は本例で用いる電気部品付き直方体状接続子の製造工程の斜視図及び横断面図である。
【図４】（Ａ）及び（Ｂ）は本例で用いるコネクタハウジング内に直方体状接続子を収容した状態の斜視図及びコネクタハウジングの開口部に嵌められる接触させる構造の斜視図である。
【図５】電気部品付き直方体状接続子を収容したコネクタハウジングの縦断面図である。
【図６】（Ａ）及び（Ｂ）は本発明に係る回路基板相互接続用コネクタ装置の第２実施例で用いる電気部品付き直方体状接続子の他の例の斜視図及びこの斜視図をその長手方向の中心軸線の回りに１８０°回転した状態の斜視図である。
【図７】（Ａ）及び（Ｂ）は本発明に係る回路基板相互接続用コネクタ装置の第３の実施例で用いる電気部品付き直方体状接続子の他の例の斜視図及びこの斜視図をその長手方向の中心軸線の回りに１８０°回転した状態の斜視図である。
【図８】（Ａ）及び（Ｂ）は図７（Ａ）及び（Ｂ）に示したび第２のタイプの電気部品付き直方体状接続子の変形例を示した各斜視図である。
【図９】（Ａ）及び（Ｂ）は、回路基板相互接続用コネクタ装置にＥＳＤ（静電気放電）保護部品を内蔵させる場合に用いる第３のタイプの電気部品付き直方体状接続子を背面側から見た斜視図と正面側から見た斜視図である。
【図１０】（Ａ）及び（Ｂ）は第３のタイプの回路基板相互接続用コネクタ装置で用いる第１の回路基板と第２の回路基板の電極パターンを示す正面図である。
【図１１】（Ａ）及び（Ｂ）は第３のタイプの電気部品付き直方体状接続子で用いる絶縁基体上の導電パターンを示す背面側から見た斜視図と正面側から見た斜視図である。
【符号の説明】
【００４３】
１  第１の回路基板
３  第１の接続用電極
５  第２の回路基板
７  第２の接続用電極
９  電気部品付き直方体状接続子
１１  コネクタハウジング
１１ａ  第１の収容室
１１ｂ  第２の収容室
１３  絶縁基体
１３ａ〜１３ｄ  四面の各面
１３ｅ及び１３ｆ  対向する二面の各面
１５  絶縁間隔
１７  導電路
１７ａ  第１の導電路部分
１７ｂ  第２の導電路部分
１９  電気素子
２１ａ  第１の電極部分
２１ｂ  第２の電極部分
２１ｃ  第３の電極部分
２３  基板部分導入口
２５  接触させる構造
２７  開口部
２９  蓋部材
３１  弾性押圧部材
３３  フック
３５  フック孔
Ｇ  放電用ギャップ